(57)【要約】【課題】ブレ補正を必要としない条件で撮影を行った時に画素加算が行われると画像サイズが小さくなってしまう。【解決手段】オート撮影モードが設定され（Ｓ１１６；ＹＥＳ）、設定された所定の撮影条件である場合（Ｓ１１８；ＹＥＳ）には、撮像素子の全画素の撮像信号電荷を順に読み出す通常読み出しモードで撮像素子を駆動する（Ｓ１１９）。また、ブレ軽減撮影又は増感撮影モードが設定されているか否かを判断し（Ｓ１２５；ＹＥＳ）、及び設定された所定の撮影条件である場合（Ｓ１１８；ＮＯ）には、Ｓ１１４の測光処理で得られている測光値と、Ｓ１０９で設定された撮影条件とに応じて、撮像素子の画素加算倍率を算出するとともに、露出時間を再設定する（Ｓ１２７）。次に、撮像素子の垂直方向及び水平方向の同色同士の画素の撮像信号電荷を加算して読み出す垂直＆水平加算読み出しモードに切り替えて、撮像素子を駆動する（Ｓ１２９）。【選択図】図３
2010263654.tif 000002
【特許請求の範囲】
【請求項１】
複数の画素を有し、露出することにより被写体を撮像して画像信号を生成する撮像手段と、
第１のモードと第２のモードとを選択的に設定する設定手段と、
この設定手段により前記第１のモードが設定されている場合に、前記撮像手段に前記画像信号における近隣の画素成分を加算する加算処理を実行させるべき所定の条件を満たしているか否かを判断する判断手段と、
この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる第１の制御手段と、
前記モード設定手段により前記第２のモードが設定されている場合に、前記撮像手段に前記加算処理を強制的に実行させる第２の制御手段と
を備えることを特徴とする電子カメラ。
【請求項２】
前記設定手段は、前記第１の制御手段により前記撮像手段に前記加算処理を実行させるか否かを設定する手段を含み、
前記第１の制御手段は、前記設定手段により前記加算処理の実行が設定されており、且つ前記判断手段により前記所定の条件を満たしていると判断された場合に、前記撮像手段に前記加算処理を実行させ、前記設定手段により前記加算処理の実行が設定されていない場合、又は前記判断手段により前記所定の条件を満たしていないと判断された場合に、前記加算処理を実行させることなく前記画像信号を出力させることを特徴とする請求項１記載の電子カメラ。
【請求項３】
複数の画素を有し、露出することにより被写体を撮像して画像信号を生成する撮像手段と、
第１のモードと第２のモードとを選択的に設定する設定手段と、
この設定手段により前記第１のモードが設定されている場合に、前記撮像手段に前記画像信号における近隣の画素成分を加算する加算処理を実行させるべき所定の条件を満たしているか否かを判断する判断手段と、
この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる第１の制御手段と、
前記モード設定手段により前記第２のモードが設定されている場合に、前記撮像手段に前記加算処理を実行させることなく前記画像信号を出力させる第２の制御手段と
を備えることを特徴とする電子カメラ。
【請求項４】
前記所定の条件は、所定の撮影条件を含み、
前記設定手段は、前記所定の撮影条件を可変的に設定する手段を含み、
前記判断手段は、前記設定手段により所定の撮影条件が設定されているか否かを判断する
ことを特徴とする請求項１、２又は３記載の電子カメラ。
【請求項５】
前記撮像手段により前記加算処理が実行された場合において、前記画像信号の画素を補間する画素補間処理を行って画像サイズを補正する画像サイズ補正手段を更に備えることを特徴とする請求項１から４にいずれか記載の電子カメラ。
【請求項６】
複数の画素を有し、露出することにより被写体を撮像して画像信号を生成する撮像手段と、
前記撮像手段に前記画像信号における近隣の画素成分を加算する加算処理を実行させるべき所定の条件を満たしているか否かを判断する判断手段と、
この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる制御手段と、
前記撮像手段により前記加算処理が実行された場合において、前記画像信号の画素を補間する画素補間処理を行って画像サイズを補正する画像サイズ補正手段と
を備えることを特徴とする電子カメラ。
【請求項７】
前記撮像手段により生成された画像信号を記録する記録手段と、
この記録手段に記録される前記画像信号の画像サイズを指定する指定手段とを更に備え、
前記画像サイズ補正手段は、前記加算処理が実行された画像信号の画像サイズが前記指定手段により指定された画像サイズよりも小さくなる場合に、前記画素補間処理を実行することを特徴とする請求項５又は６記載の電子カメラ。
【請求項８】
前記所定の条件とは、
（１）前記撮像手段の前方に配置された撮像レンズの焦点距離が所定値よりも大きい場合、
（２）前記撮像レンズが駆動されてマクロモード又は近接撮影モードが設定されている場合、
（３）当該カメラの変位に伴って生ずる手ブレを検出する手ブレ検出手段と、前記被写体の変化に伴って生ずる画像のブレを検出する像ブレ検出手段とにより検出された、手ブレ量又は像ブレのいずれでもなく一方が、所定値又は予め算出された許容ブレ量よりも大きい場合、
（４）被写体の輝度を検出する検出手段により検出された被写体輝度が所定値よりも低い場合、
（５）当該カメラが有するストロボが強制的にオフ設定されている場合、
（６）測光手段により計測された測光値に基づき設定される前記撮像手段の露出時間が、所定の露出時間よりも長くなる場合、
（７）設定された前記撮像手段の露出時間内における前記被写体の移動による像移動量が、所定値又は予め算出された許容錯乱円径よりも大きいか否かを判断する判断手段により、大きいと判断された場合、
（８）ホワイトバランスを設定する設定手段により設定されたホワイトバランスから、前記被写体が暗い室内又は電灯照明下の被写体である否かを判断する判断手段により、該暗い室内又は電灯照明下の被写体であると判断された場合
の少なくとも一つの条件を含むものであることを特徴とする請求項１から７にいずれか記載の電子カメラ。
【請求項９】
複数の画素を有し、露出することにより被写体を撮像して画像信号を生成する撮像手段と、
複数の撮影シーンの各々対応して撮影条件を記憶した記憶手段と、
この記憶手段に記憶されたいずれかの撮影シーンを選択する選択手段と、
この選択手段により選択された撮影シーンに対応する撮影条件を設定する設定手段とを備え、
前記設定手段は、前記選択手段により選択された撮影シーンが所定の撮影シーンである場合には、前記撮像手段に前記画像信号における近隣の画素成分を加算する加算処理を実行させ、前記所定の撮影シーンでない場合には、前記加算処理を実行させることなく前記画像信号を出力させることを特徴とする電子カメラ。
【請求項１０】
複数の画素を有し、露出することにより被写体を撮像して画像信号を生成する撮像手段と、
この撮像手段により生成された画像信号を記録する記録手段と、
この記録手段に記録される画像信号の画像サイズ又はこの画像をプリントする用紙の用紙サイズを指定する指定手段と、
この指定手段により指定された前記画像サイズ又は前記用紙サイズに応じて、前記撮像手段により撮像される画像のブレ許容量である許容ブレ量を設定する設定手段と、
前記撮像手段により撮像される画像のブレ量を検出する検出手段と、
この検出手段により検出された前記画像のブレ量が前記設定手段により設定された許容ブレ量を超える場合には、前記撮像手段に前記画像信号における近隣の画素成分を加算する加算処理を実行させ、前記設定手段により設定された許容ブレ以下である場合には、前記加算処理を実行させることなく前記画像信号を出力させる制御手段と
を備えることを特徴とする電子カメラ。
【請求項１１】
前記検出手段は、当該電子カメラのブレである手ブレを検出する第１の検出手段と、前記撮像手段により撮像される画像自体のブレである像ブレ検出する第２の検出手段の少なくとも一方を含むことを特徴とする請求項１０記載の電子カメラ。
【請求項１２】
複数の画素を有し、露出することにより被写体を撮像して画像信号を生成する撮像手段と、
この撮像手段により生成された画像信号を記録する記録手段と、
この記録手段に記録される前記画像信号の画像サイズを指定する指定手段と、
前記撮像手段に、前記画像信号における近隣の画素成分を加算する加算処理と、この加算処理を行うことなく前記画像信号を出力する非加算処理とを選択的に実行させる制御手段と、
前記撮像手段により前記加算処理が実行された場合における画像サイズが、前記指定手段により指定された画像サイズよりも小さいか否かを判断する判断手段と、
この判断手段により、前記加算処理が実行された場合における画像サイズが、前記指定手段により指定された画像サイズよりも小さいと判断された場合、その旨を警告する警告手段と
を備えることを特徴とする電子カメラ。
【請求項１３】
前記警告手段による警告に対する応答を入力する入力手段を更に備え、
前記制御手段は、前記入力手段により入力された応答が肯定応答であった場合に、前記撮像手段に前記加算処理を実行させることを特徴とする請求項１２記載の電子カメラ。
【請求項１４】
前記判断手段により、前記加算処理が実行された場合における画像サイズが前記指定手段により指定された画像サイズよりも小さいと判断された場合において、前記画像信号の画素を補間する画素補間処理を行って画像サイズを補正する画像サイズ補正手段を更に備え、
前記警告手段は、前記画像サイズを補正する処理を行う必要がある旨を警告する手段を含み、
前記制御手段は、前記肯定応答があった場合、前記画像サイズ補正手段に前記補正処理を実行させる手段を含むことを特徴とする請求項１３記載の電子カメラ。
【請求項１５】
複数の画素を有し、露出することにより被写体を撮像して画像信号を生成する撮像手段と、
この撮像手段により生成された画像信号を記録する記録手段と、
この記録手段に記録される前記画像信号の画像サイズを指定する指定手段と、
この指定手段により指定された前記画像サイズに基づき、前記撮像手段に、前記画像信号における近隣の画素成分を加算する加算処理と、この加算処理を行うことなく前記画像信号を出力する非加算処理とを選択的に実行させる制御手段と
を備えることを特徴とする電子カメラ。
【請求項１６】
複数の画素を有し、露出することにより被写体を撮像して画像信号を生成する撮像手段と、
この撮像手段により生成された画像信号を記録する記録手段と、
この記録手段に記録される前記画像信号の画像サイズを指定する指定手段と、
この指定手段により指定された前記画像サイズに基づき、前記撮像手段に、前記画像信号における近隣の画素成分を加算する加算処理を実行させる際の、画素加算数を制御する制御手段と
を備えることを特徴とする電子カメラ。
【請求項１７】
前記制御手段は、前記指定手段により指定された画像サイズに基づき前記画素加算数の限度を算出する算出手段を含み、
この算出手段により算出された前記画素加算数の限度に基づき、前記撮像手段の加算処理を制御することを特徴とする請求項１６記載の電子カメラ。
【請求項１８】
前記制御手段は、前記撮像手段の加算処理における加算数を前記画素加算数の限度以内に低減することを特徴とする請求項１５記載の電子カメラ。
【請求項１９】
前記撮像手段により前記加算処理が実行された場合における画像サイズが前記指定手段により指定された画像サイズよりも小さい場合において、前記画像信号の画素を補間する画素補間処理を行って画像サイズを補正する画像サイズ補正手段と、
この画像サイズ補正手段の動作と非動作とを選択的に設定する設定手段とを更に備え、
この設定手段により前記画像サイズ補正手段の動作が設定されている場合、前記算出手段は、前記画素加算数の限度を非動作の場合よりも大きい値に補正する手段を含むことを特徴とする請求項１５から１８にいずれか記載の電子カメラ。
【請求項２０】
複数の画素を有し、露出することにより被写体を撮像して画像信号を生成する撮像手段と、
前記被写体の明るさを検出する検出手段と、
この検出手段により検出された前記被写体の明るさが所定の明るさ以下の場合には、前記被写体の明るさに応じて、前記撮像手段の撮像感度を設定する設定手段と、
前記検出手段により検出された前記被写体の明るさが所定の明るさを超える場合には、前記撮像手段に前記画像信号における近隣の画素成分を加算する加算処理を実行させ、前記検出手段により検出された前記被写体の明るさが所定値以下の場合には、前記加算処理を実行させることなく前記画像信号を出力させる制御手段と
を備えることを特徴とする電子カメラ。
【請求項２１】
前記設定手段は、前記被写体の明るさに応じて、前記撮像感度と前記撮像手段の露出時間とを設定し、
前記設定手段により設定された前記露出時間が所定値以上であるか否かを判断する第１の判断手段を備え、
前記設定手段は、この第１の判断手段による判断の結果、前記露出時間が前記所定値未満である場合には、前記撮像感度を増大させるとともに、これに伴って前記露出時間を減少させて再設定する再設定手段を含み、
この再設定手段により再設定された前記露出時間が前記所定値以上であるか否かを判断する第２の判断手段とを備え、
前記制御手段は、前記第２の判断手段による判断の結果、前記露出時間が前記所定値以上である場合に、前記撮像手段に前記加算処理を実行させることを特徴とする請求項１８記載の電子カメラ。
【発明の詳細な説明】
【技術分野】
【０００１】
本発明は、被写体を撮像して静止画で記録する電子カメラに関する。
【背景技術】
【０００２】
従来、カメラに採用されている手ブレ補正方式は、光学式手振れ補正と電子式手振れ補正とに大別される。光学式手振れ補正は、アクチュエータを用いて光学系の一部を駆動する方式であることから、レンズ部が大型化するとともに高コストであって、低廉な小型カメラには不適である。一方、電子式手振れ補正は、光学式手振れ補正のようなデメリットがなく、低廉な小型カメラに適する。
【０００３】
この電子式手振れ補正としては、連続する複数の画像を撮影し各画像の対応する画素同士を加算する方式（特許文献１参照）と、同一画像の画素を加算する方式（特許文献２参照）とがある。前者にあっては、連続する複数の画像を撮影した際の撮影タイミングが異なることから、撮影タイミングの異なる画像同士が加算されることとなる。したがって、被写体の動きや手ブレ振幅が大きいと、加算により適正な感度が得られても、画像がぼやけて解像度や鮮鋭度の画質が劣化する場合がある。これを防止するためには、被写体の動きベクトルなどを検出して、加算処理すべきか否かを判断するアルゴリズム等が必要となり、高コストを要してしまう。
【０００４】
これに対し、同一画像の画素を加算する方式にあっては、この画素加算により増感し適正感度を確保し得ることから、露光時間を短くすることができる。その結果、被写体の動きや手ブレ振幅が大きい場合であっても、短い露光時間によりブレのない画像を撮影することが可能となり、高コストを要することもない。
【先行技術文献】
【特許文献】
【０００５】
【特許文献１】特開２００１−２３０９６５号公報
【特許文献２】特開２０００−３０８０７２号公報
【発明の概要】
【発明が解決しようとする課題】
【０００６】
しかしながら、同一画像の画素を加算する方式の場合、加算により不可避的に画像サイズが小さくなる。例えば、短い露光時間で撮影を行いつつ適正な感度を確保すべく、垂直２〜３画素、水平２〜３画素加算する場合には、加算倍率に応じて画像サイズが１／４〜１／９と小さくなってしまう。したがって、ブレ補正を行う必要がある条件下で撮影を行った場合には、画素加算による増感により短い露光時間でブレのない画像を撮影することができる反面、ブレ補正を行う必要がない条件下で撮影を行った場合においても画素加算が行われると、必然性なく画像サイズが小さくなってしまう。
【０００７】
本発明は、かかる従来の課題に鑑みてなされたものであり、画素加算を適正に行いつつ撮影を行うことのできる電子カメラを提供することを目的とする。
【課題を解決するための手段】
【０００８】
前記課題を解決するために請求項１記載の発明に係る電子カメラは、複数の画素を有し、露出することにより被写体を撮像して画像信号を生成する撮像手段と、第１のモードと第２のモードとを選択的に設定する設定手段と、この設定手段により前記第１のモードが設定されている場合に、前記撮像手段に前記画像信号における近隣の画素成分を加算する加算処理を実行させるべき所定の条件を満たしているか否かを判断する判断手段と、この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる第１の制御手段と、前記モード設定手段により前記第２のモードが設定されている場合に、前記撮像手段に前記加算処理を強制的に実行させる第２の制御手段とを備える。
【０００９】
したがって、第１のモードが設定されている場合において前記撮像手段に前記画像信号における近隣の画素成分を加算する加算処理を実行させるべき所定の条件を満たしていると判断された場合、及び第２のモードが設定されている場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、第１のモードが設定されていても、前記所定の条件を満たしていないと判断された場合には、画素加算処理は実行されないことから、ブレ補正を行う必要がない条件下で撮影を行った場合において画素加算により、必然性なく画像サイズが小さくなってしまう不都合を未然に防止することができる。
【００１０】
また、請求項２記載の発明に係る電子カメラにあっては、前記設定手段は、前記第１の制御手段により前記撮像手段に前記加算処理を実行させるか否かを設定する手段を含み、前記第１の制御手段は、前記設定手段により前記加算処理の実行が設定されており、且つ前記判断手段により前記所定の条件を満たしていると判断された場合に、前記撮像手段に前記加算処理を実行させ、前記設定手段により前記加算処理の実行が設定されていない場合、又は前記判断手段により前記所定の条件を満たしていないと判断された場合に、前記加算処理を実行させることなく前記画像信号を出力させる。よって、自動的に画素加算処理を行うか否かをユーザーにおいて設定することができる。
【００１１】
また、請求項３記載の発明に係る電子カメラにあっては、複数の画素を有し、露出することにより被写体を撮像して画像信号を生成する撮像手段と、第１のモードと第２のモードとを選択的に設定する設定手段と、この設定手段により前記第１のモードが設定されている場合に、前記撮像手段に前記画像信号における近隣の画素成分を加算する加算処理を実行させるべき所定の条件を満たしているか否かを判断する判断手段と、この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる第１の制御手段と、前記モード設定手段により前記第２のモードが設定されている場合に、前記撮像手段に前記加算処理を実行させることなく前記画像信号を出力させる第２の制御手段とを備える。
【００１２】
したがって、第１のモードが設定されている場合において前記撮像手段に前記画像信号における近隣の画素成分を加算する加算処理を実行させるべき所定の条件を満たしていると判断された場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、第１のモードが設定されていても、前記所定の条件を満たしていないと判断された場合及び第２のモードが設定されている場合には、画素加算処理は実行されないことから、ブレ補正を行う必要がない条件下で撮影を行った場合において画素加算により、必然性なく画像サイズが小さくなってしまう不都合を未然に防止することができる。
【００１３】
また、請求項４記載の発明に係る電子カメラにあっては、前記所定の条件は、所定の撮影条件を含み、前記設定手段は、前記所定の撮影条件を可変的に設定する手段を含み、前記判断手段は、前記設定手段により所定の撮影条件が設定されているか否かを判断する。したがって、画素加算処理を行う条件もユーザーにおいて設定することができる。
【００１４】
また、請求項５記載の発明に係る電子カメラにあっては、前記撮像手段により前記加算処理が実行された場合において、前記画像信号の画素を補間する画素補間処理を行って画像サイズを補正する画像サイズ補正手段を更に備える。つまり、画素加算処理を行えば、これに伴って画像サイズは小さくなるが、画像サイズが補正されることにより、所定の画像サイズからなる画像を撮像することができる。
【００１５】
また、請求項６記載の発明に係る電子カメラにあっては、複数の画素を有し、露出することにより被写体を撮像して画像信号を生成する撮像手段と、前記撮像手段に前記画像信号における近隣の画素成分を加算する加算処理を実行させるべき所定の条件を満たしているか否かを判断する判断手段と、この判断手段により、前記所定の条件を満たしていると判断された場合に、前記撮像手段に前記加算処理を実行させ、前記所定の条件を満たしていないと判断された場合に、前記加算処理を実行させることなく前記画像信号を出力させる制御手段と、前記撮像手段により前記加算処理が実行された場合において、前記画像信号の画素を補間する画素補間処理を行って画像サイズを補正する画像サイズ補正手段とを備える。
【００１６】
したがって、前記所定の条件を満たしていると判断された場合には、画素加算処理により増感処理されることから、これに伴って撮像手段の露光時間を短くすることができる。よって、この露光時間が短くなることにより、手ブレや被写体ブレを軽減したブレ軽減撮影が可能となる。また、画素加算処理を行えば、これに伴って画像サイズは小さくなるが、画像サイズが補正されることにより、所定の画像サイズからなる画像を撮像することができる。
【００１７】
また、請求項７記載の発明に係る電子カメラにあっては、前記撮像手段により生成された画像信号を記録する記録手段と、この記録手段に記録される前記画像信号の画像サイズを指定する指定手段とを更に備え、前記画像サイズ補正手段は、前記加算処理が実行された画像信号の画像サイズが前記指定手段により指定された画像サイズよりも小さくなる場合に、前記画素補間処理を実行する。したがって、画素加算処理により画像サイズが小さくなっても、画素補間処理が実行されることにより、予め指定した画像サイズの画像を撮像することができる。
【００１８】
また、請求項８記載の発明に係る電子カメラにあっては、前記所定の条件とは、
（１）前記撮像手段の前方に配置された撮像レンズの焦点距離が所定値よりも大きい場合、
（２）前記撮像レンズが駆動されてマクロモード又は近接撮影モードが設定されている場合、
（３）当該カメラの変位に伴って生ずる手ブレを検出する手ブレ検出手段と、前記被写体の変化に伴って生ずる画像のブレを検出する像ブレ検出手段とにより検出された、手ブレ量又は像ブレのいずれでもなく一方が、所定値又は予め算出された許容ブレ量よりも大きい場合、
（４）被写体の輝度を検出する検出手段により検出された被写体輝度が所定値よりも低い場合、
（５）当該カメラが有するストロボが強制的にオフ設定されている場合、
（６）測光手段により計測された測光値に基づき設定される前記撮像手段の露出時間が、所定の露出時間よりも長くなる場合、
（７）設定された前記撮像手段の露出時間内における前記被写体の移動による像移動量が、所定値又は予め算出された許容錯乱円径よりも大きいか否かを判断する判断手段により、大きいと判断された場合、
（８）ホワイトバランスを設定する設定手段により設定されたホワイトバランスから、前記被写体が暗い室内又は電灯照明下の被写体である否かを判断する判断手段により、該暗い室内又は電灯照明下の被写体であると判断された場合
の少なくとも一つの条件を含むものである。
【００１９】
また、請求項９記載の発明に係る電子カメラにあっては、複数の画素を有し、露出することにより被写体を撮像して画像信号を生成する撮像手段と、複数の撮影シーンの各々対応して撮影条件を記憶した記憶手段と、この記憶手段に記憶されたいずれかの撮影シーンを選択する選択手段と、この選択手段により選択された撮影シーンに対応する撮影条件を設定する設定手段とを備え、前記設定手段は、前記選択手段により選択された撮影シーンが所定の撮影シーンである場合には、前記撮像手段に前記画像信号における近隣の画素成分を加算する加算処理を実行させ、前記所定の撮影シーンでない場合には、前記加算処理を実行させることなく前記画像信号を出力させる。
【００２０】
したがって、選択された撮影シーンに対応する撮影条件が所定の撮影条件である場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、撮影条件が所定の撮影条件ではない他の撮影シーンが選択されても、画素加算処理は実行されないことから、ブレ補正を行う必要がない条件下で撮影を行った場合において画素加算により、必然性なく画像サイズが小さくなってしまう不都合を未然に防止することができる。
【００２１】
また、請求項１０記載の発明に係る電子カメラにあっては、複数の画素を有し、露出することにより被写体を撮像して画像信号を生成する撮像手段と、この撮像手段により生成された画像信号を記録する記録手段と、この記録手段に記録される画像信号の画像サイズ又はこの画像をプリントする用紙の用紙サイズを指定する指定手段と、この指定手段により指定された前記画像サイズ又は前記用紙サイズに応じて、前記撮像手段により撮像される画像のブレ許容量である許容ブレ量を設定する設定手段と、前記撮像手段により撮像される画像のブレ量を検出する検出手段と、この検出手段により検出された前記画像のブレ量が前記設定手段により設定された許容ブレ量を超える場合には、前記撮像手段に前記画像信号における近隣の画素成分を加算する加算処理を実行させ、前記設定手段により設定された許容ブレ以下である場合には、前記加算処理を実行させることなく前記画像信号を出力させる制御手段とを備える。
【００２２】
したがって、検出された画像のブレ量が前記許容ブレ量を超える場合にのみ、画素加算処理が実行される。よって、印刷するプリント用紙サイズに応じて、肉眼で目立つ大きさになるプリント画像のブレを、必要な場合にのみ自動的に軽減して撮影することができる。
【００２３】
また、請求項１１記載の発明に係る電子カメラにあっては、前記検出手段は、当該電子カメラのブレである手ブレを検出する第１の検出手段と、前記撮像手段により撮像される画像自体のブレである像ブレ検出する第２の検出手段の少なくとも一方を含む。したがって、手ブレ及び像ブレの何れにも起因するプリント画像のブレを、必要な場合にのみ自動的に軽減して撮影することができる。
【００２４】
また、請求項１２記載の発明に係る電子カメラにあっては、複数の画素を有し、露出することにより被写体を撮像して画像信号を生成する撮像手段と、この撮像手段により生成された画像信号を記録する記録手段と、この記録手段に記録される前記画像信号の画像サイズを指定する指定手段と、前記撮像手段に、前記画像信号における近隣の画素成分を加算する加算処理と、この加算処理を行うことなく前記画像信号を出力する非加算処理とを選択的に実行させる制御手段と、前記撮像手段により前記加算処理が実行された場合における画像サイズが、前記指定手段により指定された画像サイズよりも小さいか否かを判断する判断手段と、この判断手段により、前記加算処理が実行された場合における画像サイズが、前記指定手段により指定された画像サイズよりも小さいと判断された場合、その旨を警告する警告手段とを備える。
【００２５】
したがって、画素加算処理により、画像サイズが指定された画像サイズよりも小さくなる場合においては、その旨の警告がなされることにより、ユーザーは予め記録される画像サイズが指定した画像サイズよりも小さくなることを認識することができ、ユーザーが知らないうちに画像サイズの小さい画像が記録されてしまう不都合を未然に防止することができる。
【００２６】
また、請求項１３記載の発明に係る電子カメラにあっては、前記警告手段による警告に対する応答を入力する入力手段を更に備え、前記制御手段は、前記入力手段により入力された応答が肯定応答であった場合に、前記撮像手段に前記加算処理を実行させる。したがって、画素加算処理により、画像サイズが指定された画像サイズよりも小さくなる場合においては、ユーザーからの肯定応答があった場合にのみ、画素加算処理が行われる。よって、ユーザーにおいて、画像サイズが小さくなるリスクを確認した上で、画素加算処理による増感処理によって、撮像手段の露光時間を短くして、手ブレや被写体ブレを軽減したブレ軽減撮影が可能となる。
【００２７】
また、請求項１４記載の発明に係る電子カメラにあっては、前記判断手段により、前記加算処理が実行された場合における画像サイズが前記指定手段により指定された画像サイズよりも小さいと判断された場合において、前記画像信号の画素を補間する画素補間処理を行って画像サイズを補正する画像サイズ補正手段を更に備え、前記警告手段は、前記画像サイズを補正する処理を行う必要がある旨を警告する手段を含み、前記制御手段は、前記肯定応答があった場合、前記画像サイズ補正手段に前記補正処理を実行させる手段を含む。
【００２８】
つまり、画素補間処理を行うとこれに伴って画質が低下する。したがって、ユーザーにおいて、画質が低下するリスクを確認した上で、画素補間処理により所望の画像サイズからなる画像を撮像することができる。
【００２９】
また、請求項１５記載の発明に係る電子カメラにあっては、複数の画素を有し、露出することにより被写体を撮像して画像信号を生成する撮像手段と、この撮像手段により生成された画像信号を記録する記録手段と、この記録手段に記録される前記画像信号の画像サイズを指定する指定手段と、この指定手段により指定された前記画像サイズに基づき、前記撮像手段に、前記画像信号における近隣の画素成分を加算する加算処理と、この加算処理を行うことなく前記画像信号を出力する非加算処理とを選択的に実行させる制御手段とを備える。
【００３０】
つまり、画素加算を行うと、これにより画像サイズは小さくなる。したがって、指定手段により指定された画像サイズに基づき、撮像手段に、加算処理と、非加算処理とを選択的に実行させれば、指定された画像サイズに応じて、当該画像サイズを維持しつつ加算処理を行ったり、あるいは、非加算処理を選択することにより、記録画像サイズが指定画像サイズよりも小さくなることを回避することができる。よって、画素加算処理による増感処理により撮像手段の露光時間を短くしてブレ軽減撮影が可能にしつつ、記録画像サイズが指定画像サイズよりも小さくなってしまう不都合を未然に防止することができる。
【００３１】
また、請求項１６記載の発明に係る電子カメラにあっては、複数の画素を有し、露出することにより被写体を撮像して画像信号を生成する撮像手段と、この撮像手段により生成された画像信号を記録する記録手段と、この記録手段に記録される前記画像信号の画像サイズを指定する指定手段と、この指定手段により指定された前記画像サイズに基づき、前記撮像手段に、前記画像信号における近隣の画素成分を加算する加算処理を実行させる際の、画素加算数を制御する制御手段とを備える。
【００３２】
つまり、前述のように画素加算を行うと、これにより画像サイズは小さくなる。したがって、指定手段により指定された画像サイズに基づき、撮像手段に、加算処理を実行させる際の、画素加算数を制御することにより、記録画像サイズが指定画像サイズよりも小さくなることを防止することができる。よって、画素加算処理による増感処理により撮像手段の露光時間を短くしてブレ軽減撮影が可能にしつつ、記録画像サイズが指定画像サイズよりも小さくなってしまう不都合を未然に防止することができる。
【００３３】
また、請求項１７記載の発明に係る電子カメラにあっては、前記制御手段は、前記指定手段により指定された画像サイズに基づき前記画素加算数の限度を算出する算出手段を含み、この算出手段により算出された前記画素加算数の限度に基づき、前記撮像手段の加算処理を制御する。したがって、画素加算処理における加算数の限度に基づき、画素加算が行われることにより、記録画像サイズが指定画像サイズよりも小さくなったり、あるいは記録画像サイズが極端に小さくなることを未然に防止することができる。
【００３４】
また、請求項１８記載の発明に係る電子カメラにあっては、前記制御手段は、前記撮像手段の加算処理における加算数を前記画素加算数の限度以内に低減する。したがって、画素加算処理による増感処理により撮像手段の露光時間を短くしてブレ軽減撮影が可能にしつつ、所望の画像サイズからなる画像を撮像することができる。
【００３５】
また、請求項１９記載の発明に係る電子カメラにあっては、前記撮像手段により前記加算処理が実行された場合における画像サイズが前記指定手段により指定された画像サイズよりも小さい場合において、前記画像信号の画素を補間する画素補間処理を行って画像サイズを補正する画像サイズ補正手段と、この画像サイズ補正手段の動作と非動作とを選択的に設定する設定手段とを更に備え、この設定手段により前記画像サイズ補正手段の動作が設定されている場合、前記算出手段は、前記画素加算数の限度を非動作の場合よりも大きい値に補正する手段を含む。
【００３６】
つまり、画素加算数が多くなればなるほど、画像サイズは小さくなる。しかし、画像サイズ補正手段による補正が行われれば、画像サイズを大きくできることから、これを見込んで画素加算数が多くすることができる。また、画素加算数が多くなればなるほど増感度は高まることから、これに伴って、これに伴って撮像手段の露光時間をより短くすることができる。よって、この露光時間がより短くなることにより、手ブレや被写体ブレを確実に軽減したブレ軽減撮影が可能となる。
【００３７】
また、請求項２０記載の発明に係る電子カメラにあっては、複数の画素を有し、露出することにより被写体を撮像して画像信号を生成する撮像手段と、前記被写体の明るさを検出する検出手段と、この検出手段により検出された前記被写体の明るさが所定の明るさ以下の場合には、前記被写体の明るさに応じて、前記撮像手段の撮像感度を設定する設定手段と、前記検出手段により検出された前記被写体の明るさが所定の明るさを超える場合には、前記撮像手段に前記画像信号における近隣の画素成分を加算する加算処理を実行させ、前記検出手段により検出された前記被写体の明るさが所定値以下の場合には、前記加算処理を実行させることなく前記画像信号を出力させる制御手段とを備える。
【００３８】
したがって、前記被写体の明るさが所定の明るさ以下であって、ブレが生じやすい条件下においては、画像サイズが小さくなるリスクを伴う画素加算を実行せずに、第１に撮像感度を増大させることより露出時間を減少させ、これによりブレ軽減撮影を可能にする。しかし、撮像感度を増大させることより露出時間を減少させても、やはり露出時間が所定値以上でブレが生じやすい条件であれば、このとき画素加算処理による増感処理を行う。これにより、撮像手段の露光時間を短くすることができ、この露光時間が短くなることにより、手ブレや被写体ブレを軽減したブレ軽減撮影が可能となる。よって、可及的に画素加算の機会を少なくし、つまり画像サイズが小さくなってしまうリスクの発生を少なくしつつ、ブレ軽減撮影を行うことができる。
【００３９】
また、請求項２１記載の発明に係る電子カメラにあっては、前記設定手段は、前記被写体の明るさに応じて、前記撮像感度と前記撮像手段の露出時間とを設定し、前記設定手段により設定された前記露出時間が所定値以上であるか否かを判断する第１の判断手段を備え、前記設定手段は、この第１の判断手段による判断の結果、前記露出時間が前記所定値未満である場合には、前記撮像感度を増大させるとともに、これに伴って前記露出時間を減少させて再設定する再設定手段を含み、この再設定手段により再設定された前記露出時間が前記所定値以上であるか否かを判断する第２の判断手段とを備え、前記制御手段は、前記第２の判断手段による判断の結果、前記露出時間が前記所定値以上である場合に、前記撮像手段に前記加算処理を実行させる。
したがって、露出時間が前記所定値未満であって、画素加算処理による増感処理を行うことなくブレ軽減撮影が可能である場合には、画素加算処理が行われず、画像サイズが小さくなるリスクが未然に防止される。
【発明の効果】
【００４０】
以上説明したように請求項１に係る発明によれば、第１のモードが設定されている場合において前記撮像手段に前記画像信号における近隣の画素成分を加算する加算処理を実行させるべき所定の条件を満たしていると判断された場合、及び第２のモードが設定されている場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、第１のモードが設定されていても、前記所定の条件を満たしていないと判断された場合には、画素加算処理は実行されないことから、ブレ補正を行う必要がない条件下で撮影を行った場合において画素加算により、必然性なく画像サイズが小さくなってしまう不都合を未然に防止することができる。
【００４１】
また、請求項３に係る発明によれば、第１のモードが設定されている場合において前記撮像手段に前記画像信号における近隣の画素成分を加算する加算処理を実行させるべき所定の条件を満たしていると判断された場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、第１のモードが設定されていても、前記所定の条件を満たしていないと判断された場合及び第２のモードが設定されている場合には、画素加算処理は実行されないことから、ブレ補正を行う必要がない条件下で撮影を行った場合において画素加算により、必然性なく画像サイズが小さくなってしまう不都合を未然に防止することができる。
【００４２】
また、請求項６に係る発明によれば、所定の条件を満たしていると判断された場合には、画素加算処理により増感処理されることから、これに伴って撮像手段の露光時間を短くすることができる。よって、この露光時間が短くなることにより、手ブレや被写体ブレを軽減したブレ軽減撮影が可能となる。また、画素加算処理を行えば、これに伴って画像サイズは小さくなるが、画像サイズが補正されることにより、所定の画像サイズからなる画像を撮像することができる。
【００４３】
また、請求項９に係る発明によれば、選択された撮影シーンに対応する撮影条件が所定の撮影条件である場合には、画素加算処理により増感処理されることから、これに伴って撮像手段の露光時間を短くすることができる。よって、この露光時間が短くなることにより、手ブレや被写体ブレを軽減したブレ軽減撮影が可能となる。しかし、撮影条件が所定の撮影条件ではない他の撮影シーンが選択されても、画素加算処理は実行されないことから、ブレ補正を行う必要がない条件下で撮影を行った場合において画素加算により、必然性なく画像サイズが小さくなってしまう不都合を未然に防止することができる。
【００４４】
また、請求項１０に係る発明によれば、検出された画像のブレ量が前記許容ブレ量を超える場合にのみ、画素加算処理が実行される。よって、印刷するプリント用紙サイズに応じて、肉眼で目立つ大きさになるプリント画像のブレを、必要な場合にのみ自動的に軽減して撮影することができる。
【００４５】
また、請求項１２に係る発明によれば、画素加算処理により、画像サイズが指定された画像サイズよりも小さくなる場合においては、その旨の警告がなされることにより、ユーザーは予め記録される画像サイズが指定した画像サイズよりも小さくなることを認識することができ、ユーザーが知らないうちに画像サイズの小さい画像が記録されてしまう不都合を未然に防止することができる。
【００４６】
また、請求項１５及び１６に係る発明によれば、画素加算を行うと、これにより画像サイズは小さくなるが、記録画像サイズが指定画像サイズよりも小さくなることを回避することができる。よって、画素加算処理による増感処理により撮像手段の露光時間を短くしてブレ軽減撮影が可能にしつつ、記録画像サイズが指定画像サイズよりも小さくなってしまう不都合を未然に防止し、指定画像サイズの画像を記録することができる。
【００４７】
また、請求項２０に係る発明によれば、被写体の明るさが所定の明るさ以下であって、ブレが生じやすい条件下においては、画像サイズが小さくなるリスクを伴う画素加算を実行せずに、第１に撮像感度を増大させることより露出時間を減少させ、これによりブレ軽減撮影を可能にする。しかし、撮像感度を増大させることより露出時間を減少させても、やはり露出時間が所定値以上でブレが生じやすい条件であれば、このときに画素加算処理による増感処理を行うことができる。これにより、撮像手段の露光時間を短くすることができ、この露光時間が短くなることにより、手ブレや被写体ブレを軽減したブレ軽減撮影が可能となる。よって、可及的に画素加算の機会を少なくし、つまり画像サイズが小さくなってしまうリスクの発生を少なくしつつ、ブレ軽減撮影を行うことができる。
【図面の簡単な説明】
【００４８】
【図１】本発明の各実施の形態に共通するデジタルカメラ概略的回路構成を示すブロック図である。
【図２】同デジタルカメラの具体的回路構成を示すブロック図である。
【図３】第１の実施の形態における処理手順を示すフローチャートである。
【図４】同実施の形態の表示例を図である。
【図５】ＣＣＤの各種読み出しモードと、垂直＆水平画素加算読み出しモードのおける動作を示す図である。
【図６】水平画素加算読み出し走査時におけるＣＣＤ駆動信号を示すタイミングチャートである。
【図７】水平画素加算読み出し走査時におけるＣＣＤの動作例を示す図である。
【図８】本発明の第２の実施の形態における処理手順を示すフローチャートである。
【図９】本発明の第３の実施の形態における処理手順を示すフローチャートである。
【図１０】同実施の形態における表示例を示す図である。
【図１１】本発明の第４の実施の形態における処理手順を示すフローチャートである。
【図１２】同実施の形態における許容ブレ量の算出手順を示すフローチャートである。
【図１３】印刷用紙サイズに応じた許容ボケ又は許容像ブレ量の計算例を示す図である。
【図１４】本発明の第５の実施の形態における処理手順を示すフローチャートである。
【図１５】同実施の形態における表示例を示す図である。
【図１６】本発明の第６の実施の形態における処理手順を示すフローチャートである。
【図１７】本発明の第７の実施の形態における処理手順を示すフローチャートである。
【図１８】本発明のその他の実施の形態におけるデジタルカメラ概略的回路構成を示すブロック図である。
【図１９】同実施の形態における画素加算処理の説明図である。
【発明を実施するための形態】
【００４９】
以下、本発明の一実施の形態を図に従って説明する。
（第１の実施の形態）
図１は、各実施の形態に共通するデジタルカメラ１の概略的回路構成を示すブロック図である。このデジタルカメラ１は、撮影制御手段１０１を備えており、この撮影制御手段１０１は、ズーム制御／ＡＦ制御部１０２、露出設定手段１０３、加算読出しモード制御部１０４、感度／利得制御手段１０５、補間処理制御手段１０６、及び補間倍率設定手段１０７を有している。ズーム制御／ＡＦ制御部１０２には、測距手段／合焦検出手段１０８からの出力と撮影条件の設定手段１１０からの出力とが与えられ、露出設定手段１０３には、測光手段１０９からの測光信号と前記撮影条件の設定手段１１０からの出力とが与えられる。また、加算読出しモード制御部１０４には、ズーム制御／ＡＦ制御部１０２、露出設定手段１０３、撮影モードの選択手段１１１、感度／利得制御手段１０５、及び画像サイズ／印刷用紙サイズの選択手段１１２からの出力が与えられる。感度／利得制御手段１０５には、前記撮影条件の設定手段１１０からの出力が与えられ、補間倍率設定手段１０７には、画像サイズ／印刷用紙サイズの選択手段１１２からの出力が与えられる。
【００５０】
一方、撮影光学系１２０の光軸上には、絞り１２１、シャッター１２２及び撮像手段１２３が配置されている。撮影光学系１２０は光学系駆動部１２４により駆動され、絞り１２１は絞り駆動部１２５により、シャッター１２２はシャッター駆動部１２６により、撮像手段１２３はＣＣＤ駆動回路１２７により、それぞれ駆動される。ＣＣＤ駆動回路１２７は、通常読出し駆動＆走査信号と、画素加算読出し駆動＆走査信号と切り替える切替器１２８を有している。そして、前記光学系駆動部１２４はズーム制御／ＡＦ制御部１０２により制御され、絞り駆動部１２５とシャッター駆動部１２６とは、露出設定手段１０３からの信号に基づき動作し、ＣＣＤ駆動回路１２７は、加算読出しモード制御部１０４により切替器１２８を制御される。
【００５１】
信号処理回路１２９は、撮像手段１２３からのアナログ信号を処理するとともにデジタル信号に変換する処理等を行う回路であり、ＣＤＳ１３０、Ａｍｐ１３１、ＡＤＣ１３２、ＷＢ（ホワイトバランス）制御部１３３、画素補間処理手段１３４、輪郭強調処理部１３５、カラー補間部１３６、γ補正部１３７、カラーマトリックス１３８、及び前記画素補間処理手段１３４と輪郭強調処理部１３５とを切り替える切替器１３９を有している。そして、信号処理回路１２９は、その全体的な動作をＣＣＤ駆動回路１２７により制御され、Ａｍｐ１３１は前記感度／利得制御手段１０５により制御され、切替器１３９は補間処理制御手段１０６により制御され、画素補間処理手段１３４は補間倍率設定手段１０７により設定される補間倍率に従って画素補間処理を実行する。また、この信号処理回路１２９からのデジタル画像データは、画像バッファメモリ１４０を介して、画像圧縮／符号化手段１４１に与えられ圧縮及び符号化された後、画像記録手段１４２に記録されるように構成されている。
【００５２】
図２は、デジタルカメラ１の具体的回路構成を示すブロック図である。図において、操作部２３は、後述するフローチャートに示す各種モードを設定するための設定キーやレリーズ釦等のキー群等で構成され、これらキー群の操作情報は、入力回路２４を介して、制御部２５に入力される。制御部２５は、ＣＰＵ及びその周辺回路と、ＣＰＵの作業用メモリであるＲＡＭ等から構成されるマイクロコンピュータであり、各部を制御する。
【００５３】
この制御部２５には、表示メモリ２６、表示駆動ブロック２７、画像バッファメモリ２８、画像信号処理部２９、圧縮符号化／伸長復号化部３０、静止画／動画画像メモリ３１、プログラムメモリ３２、データメモリ３３、メモリＩＦ３４、外部Ｉ／Ｏインターフェース３５、通信制御ブロック３６、電源制御ブロック３７及び撮影制御部３８が接続されている。表示メモリ２６には、表示部１４に表示される各種表示データが一時的に記憶される。表示駆動ブロック２７は、前記表示部１４を駆動し、画像バッファメモリ２８は、画像データを処理する際等において一時的に格納する。
【００５４】
画像信号処理部２９は、後述する撮像素子から制御部２５が取り込んだ画像信号に対する各種処理を実行するＤＳＰからなる。圧縮符号化／伸長復号化部３０は、この画像信号処理部で処理された画像データを記録時には伸長処理し、記録した画像データを再生する際には伸長復号化する。静止画／動画画像メモリ３１は、レリーズ釦の操作により撮像された画像データ（静止画像データ）を記録保存する。
【００５５】
プログラムメモリ３２には、後述するフローチャートに示す制御部２５の制御プログラムを格納しているとともに、ＡＥ、ＡＦ、ＡＷＢ制御用のプログラムや、撮影時の適正な露出値（ＥＶ）に対応する絞り値（Ｆ）とシャッター速度との組み合わせを示すプログラム線図を構成するプログラムＡＥデータ、ＥＶ値表等が格納されている。データメモリ３３は各種データが予め格納されているとともに画像データ以外の他のデータを格納する。メモリＩＦ３４は、着脱自在な外部メモリ媒体３９に接続されている。外部Ｉ／Ｏインターフェース３５は、ＵＳＢコネクタ４０に接続され、通信制御ブロック３６は無線ＬＡＮ等送受信部４１を介してアンテナ４２に接続され、電源制御ブロック３７には、電池４３が接続されている。電池４３からの電力は電源制御ブロック３７及び制御部２５を介して各部に供給される。
【００５６】
前記撮影制御部３８には、前記ストロボ６の照射角を駆動する照射各駆動部４４、照射を駆動するストロボ照明駆動部４５とが接続されているとともに、測光、測距センサ４６の受光角を駆動する受光角駆動部４７、測光、測距センサ４６から色温度を検出して出力する色温度検出部４８、測光データを検出して出力する測光部４９及び測距データを検出して出力する測距部５０が接続されている。さらに前記撮影制御部３８には、垂直方向の角速度を検出する第１角速度センサ１６と水平方向の角加速度を検出する第２角速度センサ１７が各々角速度検出部５１、５２、積分器５３、５４を介して接続されている。
【００５７】
一方、ズームレンズユニット５５には、前記回動式ミラー１８、レンズ群１９及びＣＣＤ等で構成される撮像素子２０が配置されているとともに、この回動式ミラー１８を回転駆動する駆動機構５６、前記レンズ群１９中に介挿された絞り５７が設けられており、また、撮像素子２０の前面にはシャッター５８が配置されている。
【００５８】
また、前記撮影制御部３８には、電動ミラーＹ方向駆動部５９、電動ミラーＸ方向駆動部６０、フォーカスレンズ駆動部６１、ズームレンズ駆動部６２、絞り駆動部６３、シャッター駆動部６４、映像信号処理部６５及びタイミング制御＆ドライバ６６が接続されている。電動ミラーＹ方向駆動部５９は、駆動機構５６を駆動して回動式ミラー１８を上下方向に回動させるものであり、電動ミラーＸ方向駆動部６０は左右方向に回動させるものである。つまり、本実施の形態に係るデジタルカメラ１は、角速度検出部５１、５２及び積分器５３、５４を介して、第１及び第２の角速度センサ１６、１７から入力される垂直方向及び水平方向の角速度に基づき、回動式ミラー１８を回動することにより、撮影光軸を一定に保持するように制御する光学式手ブレ補正機能を有している。
【００５９】
フォーカスレンズ駆動部６１は、レンズ群１９中のフォーカスレンズを駆動するものであり、ズームレンズ駆動部６２は、ズーム操作キー９の操作に応じて被写体像を拡大または縮小すべくレンズ群１９中のズームレンズを駆動するものである。また、絞り駆動部６３は前記絞り５７を駆動するものであり、シャッター駆動部６４は前記シャッター５８を駆動するものである。前記映像信号処理部６５は、撮像素子２０からのアナログ信号をデジタル信号に変換するＡ／Ｄ回路及びこのＡ／Ｄ回路からのデジタル撮像信号を保持するＣＤＳと、ＣＤＳから撮像信号を供給されるアナログアンプであるゲイン調整アンプ（ＡＧＣ）等からなる。
【００６０】
図３は、本実施の形態の処理手順を示すフローチャートである。制御部２５はプログラムメモリ３２に格納されているプログラムに基づき、このフローチャートに示すような処理を実行する。先ず、ユーザーによる操作部２３での操作により、撮影モードが設定されているか否かを判断する（ステップＳ１０１）。撮影モードが設定されていない場合には、撮影設定モードが設定されたか否かを判断し（ステップＳ１０２）、撮影モードと撮影設定モードの何れも設定されていない場合には、その他のモード処理に移行する（ステップＳ１０３）。
【００６１】
また、撮影設定モードが設定された場合には、自動切換えの設定が選択されたか否かを判断する（ステップＳ１０４）。すなわち、図４に示すように、操作部２３でＭＥＮＵキー及びカーソルキー（△▽）を操作して「撮影設定」モードを選択すると（ステップＳ１０２；ＹＥＳ）、表示部１４に同図（ａ−１）に示すような撮影設定メニュー画面を表示する。このメニュー画面において、「ブレ軽減撮影」を選択すると、前記自動切換えの設定が選択されたことになり、前記ステップＳ１０４がＹＥＳとなって、同図（ａ−２）に示すブレ軽減撮影の設定メニューに移行する。
【００６２】
そして、自動切換えの設定が選択された場合には、ユーザーによる操作部２３での操作に応じ、オート撮影モードにおいて、ブレ軽減撮影に自動切り換えするか否か（ＯＮ／ＯＦＦ）の設定を行う（ステップＳ１０５）。つまり、図４（ａ−１）のブレ軽減撮影の背手値メニューには、「ＯＮ」「ＯＦＦ」が他の選択肢とともに表示されている。そして、この選択肢の中から「ＯＮ」が選択されれば自動切り換えＯＮが設定され、「ＯＦＦ」が選択されれば自動切り換えＯＦＦが設定される。
【００６３】
また、ステップＳ１０４で自動切換えの設定が選択されていないと判断された場合には、切換え条件の設定が選択されたか否かを判断する（ステップＳ１０６）。切換え条件の設定が選択された場合には、ユーザーの操作に応じて、ブレ軽減撮影に自動切換えする撮影条件等を選択して設定する（ステップＳ１０７）。
【００６４】
すなわち、ステップＳ１０４で自動切換えの設定が選択されていないと判断された場合には、図４（ｂ−１）に示す撮影設定メニューが表示部１４に表示されている。このメニュー画面から「ブレ軽減撮影のカスタム設定」を選択すると、切換え条件の設定が選択されことになり、ステップＳ１０６がＹＥＳとなって、同図（ｂ−２）のブレ軽減撮影のカスタム設定メニューの表示に移行する。このメニュー画面において、「画素加算切替条件の設定」を選択すると、同図（ｂ−３）のブレ軽減撮影への切り換え条件の設定メニュー画面に遷移する。
【００６５】
このブレ軽減撮影への切り換え条件の設定メニュー画面は、「撮影シーンに応じて」「露出時間時応じて」「被写体の輝度に応じて」「被写体の速度に応じて」「焦点距離に応じて」「マクロ撮影の場合」等の選択肢で構成されている。そして、この選択肢からいずれかを選択すると、例えば「撮影シーンに応じて」を選択すると、同図（ｂ−４）の撮影シーンに応じた切り替え設定画面に遷移する。この状態で、「ＯＦＦ」「オート」・・・等の撮影条件に応じた切り換え条件を選択することにより、前記ステップＳ１０７の処理が実行されて、ブレ軽減撮影に自動切換えする撮影条件等を選択して設定されることとなる。
【００６６】
なお、ステップＳ１０６で切換え条件の設定が選択されていないと判断された場合には、その他の設定処理を実行する（ステップＳ１０８）。
【００６７】
一方、撮影モードが設定されている場合には、ユーザーによる操作部２３での操作により入力された撮影条件、オート撮影モード、マニュアル撮影モード、各撮影モードにおけるシャッター速度等の各種撮影条件、後述するブレ軽減撮影又は増感撮影モード等の撮影条件を設定するとともに、ユーザーによる操作部２３での操作に基づく用紙サイズ又は画像サイズを選択する（ステップＳ１０９）。また、ズーム処理、ＡＦ処理を実行し（ステップＳ１１０）、被写体像のスルー画像を表示部１４に表示させる（ステップＳ１１１）。したがって、ユーザーはこの表示部１４に表示されたスルー画像を見ながら、このデジタルカメラ１の向きを調整する等してシャッターチャンスを伺う。
【００６８】
一方、制御部２５は、レリーズ釦が押されて撮影指示がなされたか否かを判断し（ステップＳ１１２）、押されない場合には、ユーザーにより操作部２３で操作されたキーに応じたその他のキー処理を実行する（ステップＳ１１３）。そして、レリーズ釦が押されて撮影指示があると、測光処理、ＷＢ処理を行って（ステップＳ１１４）、これにより得られた測光値と前記ステップＳ１０９で設定された撮影条件とに応じて、露出条件を設定する（ステップＳ１１５）。
【００６９】
次に、オート撮影モードが設定されているか否かを判断し（ステップＳ１１６）、設定されている場合には自動切り換えＯＮか否かを判断する（ステップＳ１１７）。すなわち、前記ステップＳ１０５での処理により、「オート撮影モードでブレ軽減撮影に自動切換えする」が「ＯＮ」となっているか否かを判断する。そして、「ＯＦＦ」となっている場合には、ステップＳ１１８の処理を実行することなくステップＳ１１９に進む。「ＯＮ」となっている場合には、設定された所定の撮影条件か否かを判断する（ステップＳ１１８）。つまり、前記ステップＳ１０７でユーザーにより設定されたブレ軽減撮影に自動切換えする撮影条件であるか否かを判断する。
【００７０】
そして、ユーザーにより設定されたブレ軽減撮影に自動切換えする撮影条件でない場合には、撮像素子２０の全画素の撮像信号電荷を順に読み出す通常読み出しモードで撮像素子２０を駆動する（ステップＳ１１９）。これと同時に、撮影条件に応じて露出／撮影動作を開始し（ステップＳ１２０）、このステップＳ１２０での処理により、シャッター５８が開いて撮像素子２０が露出状態となる。引き続き、シャッター速度に応じた露出時間が終了したか否かを判断し（ステップＳ１２１）、露出時間が終了となった時点で露出／撮影動作を停止させてシャッター５８を閉じる（ステップＳ１２２）。しかる後に、この撮影により取得した取得画像サイズが前記ステップＳ１０９で選択された画像サイズよりも大きいか否かを判断する（ステップＳ１２３）。「取得画像サイズ＞設定画像サイズ」であって、取得画像サイズが設定画像サイズよりも大きい場合には、間引きあるいはリサイズ圧縮処理を実行する（ステップＳ１２４）。
【００７１】
一方、前記ステップＳ１１６での判断の結果、オート撮影モードが設定されておらずマニュアル撮影モード等の他の撮影モードが設定されている場合には、ステップＳ１１６からステップＳ１２５に進む。そして、前記ステップＳ１０９での処理により、ブレ軽減撮影又は増感撮影モードが設定されているか否かを判断し（ステップＳ１２５）、ブレ軽減撮影又は増感撮影モードが設定されてない場合には、その他の撮影モード処理に移行する（ステップＳ１２６）。
【００７２】
ブレ軽減撮影又は増感撮影モードが設定されている場合（ステップＳ１２５；ＹＥＳ）、及び前記ステップＳ１１８がＹＥＳであって、前記ステップＳ１０７でユーザーにより設定されたブレ軽減撮影に自動切換えする撮影条件である場合には、前記ステップＳ１１４の測光処理で得られている測光値と、ステップＳ１０９で設定された撮影条件とに応じて、撮像素子２０の画素加算倍率を算出するとともに、露出時間を再設定する（ステップＳ１２７）。
【００７３】
次に、撮像素子２０の垂直方向及び水平方向の同色同士の画素の撮像信号電荷を加算して読み出す垂直＆水平加算読み出しモードに切り替えて、撮像素子２０を駆動する（ステップＳ１２９）。これと同時に、撮影条件に応じて露出／撮影動作を開始し（ステップＳ１２９）、このステップＳ１２９での処理により、シャッター５８が開いて撮像素子２０が露出状態となる。引き続き、シャッター速度に応じた露出時間が終了したか否かを判断し（ステップＳ１３０）、露出時間が終了となるまで、露出／撮影動作（ステップＳ１２９）を継続する。
【００７４】
ここで、垂直＆水平加算読み出しモードにおいて露出／撮影動作が行われることにより、撮像素子２０において、同じ列の互いに離れた同色の画素の信号電荷を垂直転送ＣＣＤから水平転送ＣＣＤに移すときに混合加算するとともに、同じ行の互いに離れた同色フィルターの画素の信号電荷を水平転送ＣＣＤ内で加算して読み出す。したがって、複数行分の信号を一度に出力できるのでフレームレート速度を速くでき、垂直＆水平の加算数に応じて高速フレームレートで高解像度の動画撮影を行い得る。これを静止画撮影に応用すると、垂直２画素及び水平２画素の４画素加算読み出しにより、画素数は垂直１／２×水平１／２＝１／４の画素となるが、必要な露光量も約１／４で適正露出に相当する撮影画像を得ることができるので、約４倍に増感して撮影できることになる。すなわち、同一条件の被写体で適正露出を得るに必要な露出時間を略１／４に短縮できるので、手ブレや被写体ブレによる像ブレの発生を軽減して撮影することができる。
【００７５】
そして、ステップＳ１３０の判断がＹＥＳとなり、露出時間が終了となった時点で露出／撮影動作を停止させてシャッター５８を閉じる（ステップＳ１３１）。しかる後に、この撮影により取得した取得画像サイズが前記ステップＳ１０９で選択された画像サイズよりも小さいか否かを判断する（ステップＳ１３２）。そして、「取得画像サイズ＜設定画像サイズ」であって、取得画像サイズが設定画像サイズよりも小さい場合には、画素補間処理を実行し（ステップＳ１３３）、そうでない場合には前記ステップＳ１２３に進む。
【００７６】
そして、このステップＳ１３３、ステップＳ１２３又はステップＳ１２４のいずれかに続くステップＳ１３４では、撮影画像を圧縮、符号化し、この圧縮、符号化した撮影画像を外部メモリ媒体３９に記録する（ステップＳ１３５）。さらに、撮影画像を表示部１４にレビュー表示する（ステップＳ１３６）。
【００７７】
したがって、ブレ軽減撮影又は増感撮影モードが設定されている場合は無論のこと、オート撮影モードが設定されている場合にも、手ブレや被写体ブレによる像ブレが生じやすい所定の撮影条件の場合には、画素加算読み出し処理によるブレ軽減の為の増感撮影モードに切り替えて撮影し、垂直加算数×水平加算数に応じて、増感効果により必要な露出時間を短くできるので、手ブレによる像ブレだけでなく、被写体の動きによる像ブレ（動体ブレ）を軽減して撮影できるので、子供やペットの撮影、スポーツシーンの撮影など、被写体ブレが生じやすい撮影に有効となる。
【００７８】
図５は、前記ステップＳ１１９で実行される通常読み出しモードと、ステップＳ１２８で実行される垂直＆水平加算読み出しモードの動作例を示す図である。同図において（ａ）は、前記通常読み出しモードとして実行される全画素読み出しモードであって、数分の１秒と低速だが、全画素を高解像度で読み出す。（ｂ）フレーム読み出しモード、（ｃ）高速ドラフトモード、（ｄ）４／１６ライン読み出し＆垂直画素加算モード、（ｅ）４／１８ライン読み出し＆水平画素加算モードは、ステップＳ１２８で実行される垂直＆水平加算読み出しモードの動作例であり、（ｃ）高速ドラフトモードは、８ライン中の２ラインのみ読み出し、１／３０など高速で全エリアを走査する。
【００７９】
垂直方向の画素加算読み出し動作については、例えば特開平９−５５９５２号公報に記載されているような垂直２画素周期の繰り返し配置の色フィルタを有し、垂直加算読み出しを可能とした固体撮像装置における垂直方向の画素加算読み出しによって、垂直方向に２画素離れた同色の信号電荷を垂直転送レジスタ内で加算した信号を得ることができる。同様に、水平方向の画素加算読み出しについても、特開平１１−２３４５６９号公報、特開平１１−２３４６８８号公報、特開２０００−１１５６４３号公報等に記載された撮像装置における水平読み出し動作と同様に、水平方向の同一行の互いに異なる列の同色フィルタの画素同士を水平転送ＣＣＤ上で加算して読み出すことで行える。垂直方向と水平方向の画素加算を組み合わせて、例えば、垂直２画素加算×水平２画素加算＝４画素加算読み出し、垂直３画素加算×水平３画素加算＝９画素加算読み出し、・・・など加算数を変えて行うこともできる。
【００８０】
次に、水平方向の画素加算読み出し動作について、特開２０００−１１５６４３号公報に記載された固体撮像素子を例に、以下に概略を説明する。図６（ａ）に、通常読み出しモードでの駆動信号のタイムチャートを、同図（ｂ）に水平加算読み出しモードでの駆動信号のタイムチャートを、図７に水平画素加算読み出し時の信号電荷の状態の動作例を、それぞれ示す。この固体撮像素子では、垂直レジスタと水平レジスタとの間の転送ゲート部を有し、この転送ゲート部において、第１相及び第２相の転送電荷が、垂直レジスタの一定の列毎に互い違いに配置され、垂直レジスタの転送電極及び転送ゲート部の転送電極が２層構造で形成され、垂直レジスタの一定の列単位毎に別々に信号電荷を水平レジスタへ転送することができるので、この間水平レジスタ動作させて別々に転送した信号電荷を水平レジスタ内で混合することができる。
【００８１】
また、垂直レジスタ内での転送数が垂直レジスタ列に関して周期的に異なるように電荷転送を行い、同一行の互いに離れた同色の画素の信号電荷を順番に垂直レジスタから水平レジスタへ転送し、先に水平レジスタへ転送した画素の信号電荷を水平レジスタ内で転送した後、後から水平レジスタへ転送した同色の画素の信号電荷と加算する。同じ行の互いに離れた同色の画素の信号電荷を水平レジスタ内で加算できる。
【００８２】
通常読み出し動作では、垂直ＣＣＤレジスタの入力端子ｔＶ１〜ｔＶ４には、図６（ａ）に示すような４相駆動パルスφＶ１〜φＶ４を印加し、入力端子ｔＶ′１〜ｔＶ′４には、別の４相駆動パルスφＶ′１〜φＶ′４を印加する。駆動パルスφＶ′１〜φＶ′４を印加する電極群は、駆動パルスφＶ１〜φＶ４を印加する電極群に比べ２倍の回数の転送を行う。
【００８３】
したがって、駆動パルスφＶ１〜φＶ４を印加する電極群から駆動パルスφＶ′１〜φＶ′４を印加する電極群への信号電荷が順次送られるのに対し、駆動パルスφＶ′１〜φＶ′４を印加する電極群では信号電荷のパケットと空パケットが存在するように信号電荷が水平ＣＣＤレジスタ方向に転送されることとなる。
【００８４】
今、第２の転送期間Ｔ３を経て駆動パルスφＶ１〜φＶ４を印加する電極群から駆動パルスφＶ′１〜φＶ′４を印加する電極群へｊ行目の電荷が転送されたとする。一方、駆動パルスφＶ１〜φＶ４を印加する電極群は、第２の転送期間Ｔ３の他に第１の転送期間Ｔ２があるため、水平ＣＣＤレジスタ［１］、［２］と垂直ＣＣＤレジスタ［３］、［４］のパケット数の違いは吸収され、水平走査期間Ｔ１に蓄積されたｊ行目の信号電荷を水平ＣＣＤレジスタに転送することができる。
【００８５】
すなわち、水平ブランキング期間ＨＢＬＫの第１転送期間Ｔ２において、垂直ＣＣＤレジスタ［１］、［２］におけるｊ番目の信号電荷が水平ＣＣＤレジスタに転送され、垂直ＣＣＤレジスタ［３］、［４］におけるｊ行目の信号電荷が水平ＣＣＤレジスタの最終段へと１パケット分垂直転送される。次いで、第２の転送期間Ｔ３において、垂直ＣＣＤレジスタ［３］、［４］のＪ番目の信号電荷が水平ＣＣＤレジスタへ転送されるとともに、垂直ＣＣＤレジスタ［１］、［２］、［３］、［４］のｊ−１行目の信号電荷が垂直ＣＣＤレジスタへ転送されることとなる。したがって、通常読み出し動作では、１行目の信号電荷が順次出力されることとなる。
【００８６】
水平画素加算動作では、垂直ＣＣＤレジスタの入力端子ｔＶ１〜ｔＶ４に、図６（ｂ）に示すような４相駆動パルスφＶ１〜φＶ４を印加し、入力端子ｔＶ′１〜ｔＶ′４に、４相駆動パルスφＶ′１〜φＶ′４を印加する。また、垂直ＣＣＤレジスタには、２相駆動パルスφＨ１及びφＨ２を印加する。
【００８７】
図７の信号電荷の状態と図６（ｂ）の駆動パルスとを対応して説明すると、
１）先ず、図６（ｂ）の水平走査期間Ｔ１の終了時が図７（Ａ）に相当する。
２）次に、図７（Ｂ）に示すように、水平ブランキング期間ＨＢＬＫのうちの第１の期間Ｔ２において、垂直ＣＣＤレジスタ［１］、［２］の信号電荷が水平ＣＣＤレジスタへ転送されるとともに、垂直ＣＣＤレジスタ［３］、［４］の信号電荷が垂直ＣＣＤレジスタへの最終段へ垂直転送される。
３）次に、図７（Ｃ）に示すように、第２の期間Ｔ２において、水平ＣＣＤレジスタで２パケット分の転送が行われ、同一行の２画素列方向に離れた信号電荷同士が同一列に移動される。
４）次に、図７（Ｄ）に示すように、第３の期間Ｔ４において、垂直転送により垂直ＣＣＤレジスタ［３］、［４］の最終段の信号電荷が水平ＣＣＤレジスタへ転送され、先に水平ＣＣＤレジスタに転送された垂直ＣＣＤレジスタ［１］、［２］の信号に加算される。すなわち、水平ＣＣＤレジスタ内で同一行の２画素だけ列方向に離れた信号電荷同士が加算される。同時に、水平ＣＣＤレジスタの空パケットに垂直ＣＣＤレジスタ［１］、［２］から次の行の信号電荷が転送される。
５）さらに、図７（Ｅ）に示すように、第４の期間Ｔ５において、水平ＣＣＤレジスタ内で２パケット分の転送が行われ、前記次の行の２画素列方向に離れた信号電荷同士が同一列に移動される。
６）次いで、図７（Ｆ）に示すように、第５の期間Ｔ６において、垂直転送により垂直ＣＣＤレジスタ［１］、［２］の信号電荷に加算される。
【００８８】
すなわち、水平ＣＣＤレジスタ内で前記次の行の２画素だけ列方向に離れた信号電荷同士が加算される。この結果、水平ＣＣＤレジスタに水平方向に２画素加算された信号電荷が２行分、蓄積されることとなる。したがって、水平走査期間Ｔ１において、水平ＣＣＤレジスタを２相駆動し、水平走査を１回行うことで、２桁分の信号がＣＣＤ固体撮像素子の出力端より出力される。このような、カラーＣＣＤ固体撮像素子に水平２画素周期の色フィルタを用いるときは、各々の行の画素の偶数列同士、奇数列同士が同一色になるので、混合しても混色が発生しない。また、水平方向に２画素離れた信号電荷同士を加算混合することで、水平方向のデータレートを１／２に削減できる。これにより高速に動作を行うことができる。また、画像領域の画素全体の信号に対し混合を行うため、水平方向のデータ数を１／２にしても画角は変わらない。
【００８９】
以上、水平方向Ｎ２画素加算について説明したが、水平２画素以上の加算についても可能である。また、前述の垂直方向の画素加算読み出し動作と組み合わせることにより、垂直２画素×水平２画素加算＝４画素加算読み出しなど、垂直方向と水平方向の加算数をともに切り替えて各種加算倍率の読み出し走査が行える。勿論、前記特開２０００−１１５６４３号公報記載の固体撮像素子とは、転送路や転送ゲート電極の構成などが異なる構成の撮像素子を用いて、垂直＆水平画素加算読み出しができるようにしても構わない。
【００９０】
（第２の実施の形態）
【００９１】
図８は、本発明の第２の実施の形態における処理手順を示すフローチャートである。先ず、ユーザーによる操作部２３での操作により、オート撮影モード又はブレ軽減撮影モードが設定されているか否かを判断する（ステップＳ２０１）。オート撮影モード又はブレ軽減撮影モードが設定されていない場合には、その他の撮影モード処理に移行する（ステップＳ２０２）。
【００９２】
また、オート撮影モード又はブレ軽減撮影モードが設定されている場合には、シャッター速度等の撮影条件を設定するとともに、ユーザーによる操作部２３での操作に応じて、用紙サイズ又は画像サイズを選択する（ステップＳ２０３）。また、ズーム処理、ＡＦ処理を実行し、レンズ焦点距離情報（ｆ）を読み込み（ステップＳ２０４）、被写体像のスルー画像を表示部１４に表示させる（ステップＳ２０５）。したがって、ユーザはこの表示部１４に表示されたスルー画像を見ながら、このデジタルカメラ１の向きを調整する等してシャッターチャンスを伺う。
【００９３】
一方、制御部２５は、レリーズ釦が押されて撮影指示がなされたか否かを判断し（ステップＳ２０６）、押されない場合には、ユーザーにより操作部２３で操作されたキーに応じたその他のキー処理を実行する（ステップＳ２０７）。そして、レリーズ釦が押されて撮影指示があると、測光処理、ＷＢ処理を行って（ステップＳ２０８）、これにより得られた測光値と前記ステップＳ２０３で設定された撮影条件とに応じて、露出条件を設定する（ステップＳ２０９）。
【００９４】
次に、
（１）前記ステップＳ２０４で読み込んだ焦点距離（ｆ）が所定以上であるか否か（ステップＳ２１０）
（２）マクロ撮影であるか否か（ステップＳ２１１）
（３）前記ステップＳ２０８で得られた測光値が所定値未満であるか否か（ステップＳ２１２）
（４）測光値が所定値未満である場合においてストロボ強制ＯＦＦとなっているか否か（ステップＳ２１３）
（５）前記ステップＳ２１４で設定した設定露出時間が所定時間を超えるか否か（ステップＳ２１４）
（６）前記ステップＳ２０８でのＷＢ処理によるＷＢ設定が電球又は蛍光灯（屋内証明）であるか否か（ステップＳ２１５）
を判断する。
【００９５】
そして、これら（１）〜（６）判断がすべてＮＯであった場合には、撮像素子２０の全画素の撮像信号電荷を順に読み出す通常読み出しモードで撮像素子２０を駆動する（ステップＳ２１６）。これと同時に、撮影条件に応じて露出／撮影動作を開始し（ステップＳ２１７）、このステップＳ２１７での処理により、シャッター５８が開いて撮像素子２０が露出状態となる。引き続き、シャッター速度に応じた露出時間が終了したか否かを判断し（ステップＳ２１８）、露出時間が終了となった時点で露出／撮影動作を停止させてシャッター５８を閉じる（ステップＳ２１９）。しかる後に、この撮影により取得した取得画像サイズが前記ステップＳ２０３で選択された画像サイズよりも大きいか否かを判断する（ステップＳ２２０）。そして、「取得画像サイズ＞設定画像サイズ」であって、取得画像サイズが設定画像サイズよりも大きい場合には、間引きあるいはリサイズ圧縮処理を実行する（ステップＳ２２１）。
【００９６】
一方、（１）〜（６）判断の少なくとも一つがＹＥＳであった場合には、前記ステップＳ２０８の測光処理で得られている測光値と、前記ステップＳ２０３で設定された撮影条件とに応じて、撮像素子２０の画素加算倍率を算出するとともに、露出時間を再設定する（ステップＳ２２２）。
【００９７】
次に、撮像素子２０の垂直方向及び水平方向の同色同士の画素の撮像信号電荷を加算して読み出す垂直＆水平加算読み出しモードに切り替えて、撮像素子２０を駆動する（ステップＳ２２３）。これと同時に、撮影条件に応じて露出／撮影動作を開始し（ステップＳ２２４）、このステップＳ２２４での処理により、シャッター５８が開いて撮像素子２０が露出状態となる。引き続き、シャッター速度に応じた露出時間が終了したか否かを判断し（ステップＳ２２５）、露出時間が終了となるまで、露出／撮影動作（ステップＳ２２４）を継続する。
【００９８】
そして、ステップＳ２２５の判断がＹＥＳとなり、露出時間が終了となった時点で露出／撮影動作を停止させてシャッター５８を閉じる（ステップＳ２２６）。しかる後に、この撮影により取得した取得画像サイズが前記ステップＳ２０３で選択された画像サイズよりも小さいか否かを判断する（ステップＳ２２７）。そして、「取得画像サイズ＜設定画像サイズ」であって、取得画像サイズが設定画像サイズよりも小さい場合には、画素補間処理を実行し（ステップＳ２２８）、そうでない場合には前記ステップＳ２２０に進む。
【００９９】
そして、このステップＳ２２８、ステップＳ２２０又はステップＳ２２１のいずれかに続くステップＳ２２９では、撮影画像を圧縮、符号化し、この圧縮、符号化した撮影画像を外部メモリ媒体３９に記録する（ステップＳ２３０）。さらに、撮影画像をレビュー表示する（ステップＳ２３１）。
【０１００】
したがって、本実施の形態においては、（１）〜（６）判断の少なくとも一つがＹＥＳであった場合である手ブレが生じやすい撮影条件の場合に、自動的にブレ軽減の為の増感モードに切り替えて、画素加算読み出しによる増感処理によって、実効的な露出時間を短くすることができるので、手ブレによる像ブレを軽減して撮影することができる。また、ノイズが少なく、所望の画像サイズより小さくなる場合にのみ画素補間処理を行うことから、所望の画像サイズも確実に得られる。
【０１０１】
なお、本実施の形態においては、所定の撮影条件として、前記（１）〜（６）を判断すし、少なくとも一つがＹＥＳであった場合、画素加算読み出しを行うようにしたが、下記に示す（ａ）（ｂ）（ｃ）の条件であってもよい。
（ａ）撮像レンズの焦点距離が所定値より長い焦点距離の場合、又は、
（ｂ）マクロ（近接撮影）モードの場合、又は、
（ｃ）手ブレ量又は像ブレ量を検出し、検出された手ブレ量又は像ブレ量が、所定の手ブレ量又は像ブレ量より大きくなると判断される場合。
【０１０２】
あるいは、「オート撮影モード」又は「ブレ軽減撮影モード」のような撮影モードにおいて、被写体の状態が所定条件の場合には、「画素加算読み出しによる撮影モード」に自動的に切り替え、かつ、露出時間を加算数に応じて再設定して撮影するとともに、記録画像サイズが設定画像サイズよりも小さくなる場合には、撮影画像データに画素補間処理を行ってから記録するように生後する。
【０１０３】
所定の被写体とは、例えば
（ｄ）測光センサや撮像信号から検出される露光値や被写体輝度が所定の値より低く、かつ、ストロボ発光が強制ＯＦＦにされている場合、又は、
（ｅ）測光値に基づき自動露出設定された露出時間（シャッター速度）、又はマニュアル露出設定による露出時間（シャッター速度）が、所定の露出時間より長い（遅い）場合、又は、
（ｆ）被写体の移動速度あるいは被写体移動に伴う被写体像の緯度右側を検出若しくは入力し、設定された露出時間における被写体移動による像移動量が所定値又は許容錯乱円径より大きくなると判断された場合、又は、
（ｇ）ホワイトバランスの設定状態、若しくは、色温度検出による自動ホワイトバランス制御の検出状態により、蛍光灯やタングステン電球による証明やそれら相当の色温度に設定されている場合など、暗い室内や電灯照明下の被写体と判断された場合、
などである。
【０１０４】
以上のような被写体の状態や撮影条件では、暗い被写体若しくは被写体の輝度が低くて、適正露出条件における露出時間（シャッター速度）が長く（遅く）なりやすいので、手ブレとともに被写体ブレも生じやすい。あるいは、露出時間に対して被写体の移動速度が速いため、被写体ブレが生じやすい。このような被写体の動きによる像ブレ（動体ブレ）が生じやすい撮影条件の場合にも、自動的にブレ軽減の為の増感撮影モードに切り替えて、画素加算読み出しによる増感処理によって、撮影感度を増感するとともに、手ブレだけでなく被写体ブレ（動体ブレ）による像ブレをも軽減して撮影することができる。
【０１０５】
（第３の実施の形態）
【０１０６】
図９及び図１０は、本発明の第３の実施の形態を示すものである。この実施の形態は、撮影シーン別のプログラム撮影モード、若しくは撮影シーンや撮影方法を説明文と代表例のサンプル画像とを付して表示したメニューから選択できるようにしたモード（ＢＳ（ベストショット）モード）において、設定された撮影シーンに応じて、手ブレや被写体ブレが生じやすいと判断されるような所定の撮影シーンが設定されている場合には、画素加算読み出しによるブレ軽減撮影／増感撮影に自動的に切り替えるように制御するものである。
【０１０７】
すなわち、図９のフローチャートに示すように、ユーザーによる操作部２３での操作により、オート撮影モード又は撮影シーン別プログラムモードが設定されているか否かを判断する（ステップＳ３０１）。オート撮影モード又は撮影シーン別プログラムモードが設定されていない場合には、その他の撮影モード処理に移行する（ステップＳ３０２）。
【０１０８】
また、オート撮影モード又は撮影シーン別プログラムモードが設定されている場合には、シャッター速度等の撮影条件を設定するとともに、ユーザーによる操作部２３での操作に応じて、撮影シーンを設定し、用紙サイズ又は画像サイズを選択する（ステップＳ３０３）。つまり、図１０（Ａ）〜（Ｆ）に示すように、表示部１４にユーザーによる操作部２３での操作に応じて、撮影シーンとその説明文代表例のサンプル画像を切替表示し、いずれかの撮影シーンが選択されたならば、これを設定する。
【０１０９】
なお、図１０（Ａ）〜（Ｆ）に好適な撮影シーン別プログラムは、予めプログラムメモリ３２に格納されている。また、（Ａ）は子供の撮影、（Ｂ）はペットの撮影、（Ｃ）はキャンドルライト（屋内）での撮影、（Ｄ）はパーティ（屋内）での撮影、（Ｅ）はスポーツの撮影、（Ｆ）は花などの近接撮影に各々好適な撮影シーン別プログラムに対応する。
【０１１０】
次に、ズーム処理、ＡＦ処理を実行し（ステップＳ３０４）、被写体像のスルー画像を表示部１４に表示させる（ステップＳ３０５）。次いで、レリーズ釦が押されて撮影指示がなされたか否かを判断し（ステップＳ３０６）、押されない場合には、ユーザーにより操作部２３で操作されたキーに応じたその他のキー処理を実行する（ステップＳ３０７）。そして、レリーズ釦が押されて撮影指示があると、測光処理、ＷＢ処理を行って（ステップＳ３０８）、これにより得られた測光値と前記ステップＳ３０３で設定された撮影条件とに応じて、露出条件を設定する（ステップＳ３０９）。
【０１１１】
次に、前記ステップＳ３０３で設定された撮影シーン（ＢＳモードが）が、
（１）子供、ペットの撮影シーン（ステップＳ３１０）
（２）キャンドルライト（屋内）の撮影シーン（ステップＳ３１１）
（３）パーティ（屋内）の撮影シーン（ステップＳ３１２）
（４）スポーツの撮影シーン（ステップＳ３１３）
（５）花などの近接撮影（ステップＳ３１４）
であるか否かを判断する。
【０１１２】
そして、これら（１）〜（５）判断がすべてＮＯであった場合には、つまり、設定されたシーンが「子供、ペットの撮影シーン」「キャンドルライト（屋内）の撮影シーン」「」パーティ（屋内）の撮影シーン」「スポーツの撮影シーン」「花などの近接撮影」のいずれでもなく、他のシーンである場合には、撮像素子２０の全画素の撮像信号電荷を順に読み出す通常読み出しモードで撮像素子２０を駆動する（ステップＳ３１５）。これと同時に、設定されたシーンと、撮影条件に応じて露出／撮影動作を開始し（ステップＳ３１６）、このステップＳ３１６での処理により、シャッター５８が開いて撮像素子２０が露出状態となる。引き続き、シャッター速度に応じた露出時間が終了したか否かを判断し（ステップＳ３１７）、露出時間が終了となった時点で露出／撮影動作を停止させてシャッター５８を閉じる（ステップＳ３１８）。しかる後に、この撮影により取得した取得画像サイズが前記ステップＳ３０３で選択された画像サイズよりも大きいか否かを判断する（ステップＳ３１９）。そして、「取得画像サイズ＞設定画像サイズ」であって、取得画像サイズが設定画像サイズよりも大きい場合には、間引きあるいはリサイズ圧縮処理を実行する（ステップＳ３２０）。
【０１１３】
一方、（１）〜（５）判断のいずれかがＹＥＳであった場合には、前記ステップＳ３０８の測光処理で得られている測光値と、前記ステップＳ３０３で設定された撮影条件、及び撮影シーンに応じて、撮像素子２０の画素加算倍率を算出するとともに、露出時間を再設定する（ステップＳ３２１）。
【０１１４】
次に、撮像素子２０の垂直方向及び水平方向の同色同士の画素の撮像信号電荷を加算して読み出す垂直＆水平加算読み出しモードに切り替えて、撮像素子２０を駆動する（ステップＳ３２２）。これと同時に、設定された撮影シーンと、設定撮影条件に応じて露出／撮影動作を開始し（ステップＳ３２３）、このステップＳ３２３での処理により、シャッター５８が開いて撮像素子２０が露出状態となる。引き続き、シャッター速度に応じた露出時間が終了したか否かを判断し（ステップＳ３２４）、露出時間が終了となるまで、露出／撮影動作（ステップＳ３２３）を継続する。
【０１１５】
そして、ステップＳ３２４の判断がＹＥＳとなり、露出時間が終了となった時点で露出／撮影動作を停止させてシャッター５８を閉じる（ステップＳ３２５）。しかる後に、この撮影により取得した取得画像サイズが前記ステップＳ３０３で選択された画像サイズよりも小さいか否かを判断する（ステップＳ３２６）。「取得画像サイズ＜設定画像サイズ」であって、取得画像サイズが設定画像サイズよりも小さい場合には、画素補間処理を実行し（ステップＳ３２７）、そうでない場合には前記ステップＳ３１９に進む。
【０１１６】
そして、このステップＳ３２７、ステップＳ３１９又はステップＳ３２０のいずれかに続くステップＳ３２８では、撮影画像を圧縮、符号化し、この圧縮、符号化した撮影画像を外部メモリ媒体３９に記録する（ステップＳ３２９）。さらに、撮影画像をレビュー表示する（ステップＳ３３０）。
【０１１７】
したがって、本実施の形態によれば、被写体が暗かったり、露出時間が長くなったり、手ブレや動体ブレが生じやすいような撮影シーンや増感処理が必要な撮影シーンの場合には、自動的に画素加算読み出しによるブレ軽減撮影若しくは増感撮影に切り替えて撮影するように制御するので、前述した第１の実施の形態のように、設定モード等Ｄ細かく設定したりする必要がなく、ユーザー所望の撮影シーンやユーザーが選択した被写体のシーンに応じて、必要な場合には自動的に、手ブレや同他ブレによる像ブレを軽減したり増感撮影することができる。ユーザーは、撮影シーンを選択するだけで、容易に、また必要な場合にのみ自動的に像ブレを軽減したり増感撮影することができる。
【０１１８】
なお、本実施の形態においては、加算読み出しモードで撮像素子を駆動するシーンとして、図１０（Ａ）〜（Ｆ）を示したが、これに限ることなく、夜景の撮影シーン（暗い被写体だが、遠景なのでストロボ消灯で撮影したいシーン）、夜景の人物と背景の撮影シーン（近景も、ストロボの届かない遠景も、一緒に撮影したい）、花火の撮影シーン（増感したいが、ノイズ発生を押さえたい撮影シーン）など、暗い被写体で露出時間が長くなるので、三脚などで固定して撮影するのが基本だが、撮影感度を上げると増大するノイズの発生も押さえて撮影したいシーンなどでも、（ＩＳＯ相当感度など）撮影感度をそれほど上げずに、画素加算読み出しにより増感撮影に自動的に切り替えて撮影するようにしてもよい。また、ブレ軽減撮影専用や高感度撮影専用の撮影シーンプログラムを設けるようにしてもよい。
【０１１９】
また、前記各撮影シーンにおいては、設定された撮影シーン毎の撮影制御プログラムに応じて、露出プログラムの選択や、測光方法、焦点制御方法、ストロボの点灯／消灯／オートなど、その他の撮影条件の設定や、輪郭強調処理やカラーフィルタ処理等を自動的に設定したり、ＩＳＯ相当感度など撮影感度アップによる増感撮影と組み合わせたりして、画素加算読み出しによるブレ軽減撮影／増感撮影を行ってもよい。また、設定された撮影シーンに応じて、画素加算読み出しによる撮影の加算数（加算倍率）やその限度範囲、若しくは、画素補間処理の倍率や限度範囲などを自動的に切り替えるのが好ましい。また、撮影シーンに応じて、撮影感度アップと画素加算読み出しによる増感処理との配分比率を切り替えるようにしてもよい。撮影シーンの設定は、ユーザーがモードスイッチやメニュー操作で選択したシーンでも、あるいは、カメラの制御回路においＴげ、撮影条件や被写体輝度や色調の分布や、被写体距離、構図配置などからシーン判別する撮影プログラム等により設定されたシーンであっても構わない。
【０１２０】
（第４の実施の形態）
【０１２１】
図１１〜図１３は、本発明の第４の実施の形態を示すものである。この実施の形態は、設定された所望の印刷用紙の種別又は印刷用紙サイズ（寸法）、若しくは、設定された画像サイズ（縦×横の画素数）に相応する印刷用紙サイズ（寸法）に応じて、所定のブレ量又は像ブレ量など、許容できるブレ量を設定し、検出されたブレ量又は像ブレ量が、所定のブレ量又は像ブレ量より大きい場合には、自動的に画素加算読み出しモードに切り替えて撮像素子を駆動し、画素加算読み出しによるブレ軽減のための増感撮影処理を行い、設定された露出時間を画素加算数に応じて短縮された露出時間に設定して撮影するように制御する。また、撮影画像の画像サイズが設定された画像サイズよりも小さくなる場合には、撮影画像データに画素補間処理を行ってから記録できるように制御するものである。
【０１２２】
先ず、図１１のフローチャートに示すように、ユーザーによる操作部２３での操作により、オート撮影モード又はブレ軽減撮影モードが設定されているか否かを判断する（ステップＳ４０１）。オート撮影モード又はブレ軽減撮影モードが設定されていない場合には、その他の撮影モード処理に移行する（ステップＳ４０２）。また、オート撮影モード又はブレ軽減撮影モードが設定されている場合には、シャッター速度等の撮影条件を設定するとともに、ユーザーによる操作部２３での操作に応じて、用紙サイズ又は画像サイズを選択する（ステップＳ４０３）。
【０１２３】
次に、ズーム処理、ＡＦ処理を実行し（ステップＳ４０４）、被写体像のスルー画像を表示部１４に表示させる（ステップＳ４０５）。次いで、レリーズ釦が押されて撮影指示がなされたか否かを判断し（ステップＳ４０６）、押されない場合には、ユーザーにより操作部２３で操作されたキーに応じたその他のキー処理を実行する（ステップＳ４０７）。そして、レリーズ釦が押されて撮影指示があると、測光処理、ＷＢ処理を行って（ステップＳ４０８）、これにより得られた測光値と前記ステップＳ４０３で設定された撮影条件とに応じて、露出条件を設定する（ステップＳ４０９）。
【０１２４】
さらに、前記選択された印刷用紙又は画像サイズと、前記ステップＳ４０９で得られた露出時間に応じて、許容ブレ量、許容ブレ速度等を算出し（ステップＳ４１０）、かつ、当該デジタルカメラ１におけるブレ量若しくは像ブレ量を検出する（ステップＳ４１１）。次に、これらステップＳ４１０で算出された許容ブレ量、許容ブレ速度等と、ステップＳ４１１で検出されたブレ量若しくは像ブレ量に基づき、
（１）設定露出時間における像ブレ量＞所定の像ブレ量（ステップＳ４１２）
（２）像移動速度＞所定の移動速度（ステップＳ４１３）
（３）ブレ量（角度）＞所定のブレ量（ステップＳ４１４）
（４）ブレ角速度＞所定のブレ角度（ステップＳ４１５）
であるか否かを判断する。
【０１２５】
そして、これら（１）〜（４）判断がすべてＮＯであった場合には、つまり設定露出時間における像ブレ量、像移動速度、ブレ量（角度）、ブレ角速度が全て許容値以下である場合には、撮像素子２０の全画素の撮像信号電荷を順に読み出す通常読み出しモードで撮像素子２０を駆動する（ステップＳ４１６）。これと同時に、設定されたシーンと、撮影条件に応じて露出／撮影動作を開始し（ステップＳ４１７）、このステップＳ４１７での処理により、シャッター５８が開いて撮像素子２０が露出状態となる。引き続き、シャッター速度に応じた露出時間が終了したか否かを判断し（ステップＳ４１８）、露出時間が終了となった時点で露出／撮影動作を停止させてシャッター５８を閉じる（ステップＳ４１９）。しかる後に、この撮影により取得した取得画像サイズが前記ステップＳ４０３で選択された画像サイズよりも大きいか否かを判断する（ステップＳ４２０）。そして、「取得画像サイズ＞設定画像サイズ」であって、取得画像サイズが設定画像サイズよりも大きい場合には、間引きあるいはリサイズ圧縮処理を実行する（ステップＳ４２１）。
【０１２６】
一方、（１）〜（４）判断のいずれかがＹＥＳであった場合には、前記ステップＳ４０８の測光処理で得られている測光値と、前記ステップＳ４０３で設定された撮影条件に応じて、撮像素子２０の画素加算倍率を算出するとともに、露出時間を再設定する（ステップＳ４２２）。
【０１２７】
次に、撮像素子２０の垂直方向及び水平方向の同色同士の画素の撮像信号電荷を加算して読み出す垂直＆水平加算読み出しモードに切り替えて、撮像素子２０を駆動する（ステップＳ４２３）。これと同時に、設定された撮影シーンと、設定撮影条件に応じて露出／撮影動作を開始し（ステップＳ４２４）、このステップＳ４２４での処理により、シャッター５８が開いて撮像素子２０が露出状態となる。引き続き、シャッター速度に応じた露出時間が終了したか否かを判断し（ステップＳ４２５）、露出時間が終了となるまで、露出／撮影動作（ステップＳ４２４）を継続する。
【０１２８】
そして、ステップＳ４２５の判断がＹＥＳとなり、露出時間が終了となった時点で露出／撮影動作を停止させてシャッター５８を閉じる（ステップＳ４２６）。しかる後に、この撮影により取得した取得画像サイズが前記ステップＳ４０３で選択された画像サイズよりも小さいか否かを判断する（ステップＳ４２７）。「取得画像サイズ＜設定画像サイズ」であって、取得画像サイズが設定画像サイズよりも小さい場合には、画素補間処理を実行し（ステップＳ４２７）、そうでない場合には前記ステップＳ４２０に進む。
【０１２９】
そして、このステップＳ４２８、ステップＳ４２０又はステップＳ４２１のいずれかに続くステップＳ４２９では、撮影画像を圧縮、符号化し、この圧縮、符号化した撮影画像を外部メモリ媒体３９に記録する（ステップＳ４３０）。さらに、撮影画像をレビュー表示する（ステップＳ４３１）。
【０１３０】
なお、本実施の形態においては、ステップＳ４１０において、選択された印刷用紙又は画像サイズと露出時間に応じて、許容ブレ量、許容ブレ速度等の許容値を算出するようにしたが、印刷用紙や画像サイズに応じて、一定の許容値を自動的に設定するようにしてもよい。
【０１３１】
図１２は、前記ステップＳ４１０で実行される許容像ブレ量（像変位量）、許容像ブレ速度（像移動速度）、許容ブレ量（角度）、許容ブレ角速度等の算出手順を示すフローチャートである。先ず、設定された印刷用紙のサイズ（対角Ｓ）、撮像サイズ（対角Ｙ）を読み込む（ステップＳ４５１）。次に、印刷された画像が当該用紙の対角相当距離から観察されるものであるか否かを判断する（ステップＳ４５２）。そうであるならば、下記例示次式を用いて、撮像サイズＹに応じて、許容ボケ量（許容錯乱円径）δを設定する（ステップＳ４５３）。
（例）許容ボケδ＝Ｙ×ｔａｎ（２′４０″）
【０１３２】
また、ステップＳ４５２の判断がＮＯであって、一定の明視距離から観察されるものでるならば、下記例示次式を用いて、印刷用紙サイズＳと撮影サイズＹに応じて、許容ボケ量（許容錯乱円径）δを設定する（ステップＳ４５４）。
（例）許容ボケδ＝（Ｙ／Ｓ）×２５０［ｍｍ］ｔａｎ（２′４０″）
【０１３３】
次に、設定露出時間（Ｔ）、レンズ焦点距離情報（ｆ）を読み込み（ステップＳ４５５）、下記例示次式を用い、許容ボケδと、レンズ焦点距離ｆ、設定露出時間Ｔ（秒）に応じて、許容像ブレ量、許容ブレ量（又は被写体の見かけの移動速度）、許容ブレ角速度（又は被写体の見かけの移動速度）を算出する。
（例）
許容ブレ量（像変位量）＝δＢ≒δ、
許容像ブレ速度（像移動速度）ＶＢ＝δＢ／Ｔ≒δ／Ｔ、
許容ブレ量（角度）θＳ＝２×ｔａｎ−１（δＢ／２ｆ）、
許容ブレ角速度ωＳ＝θＳ／Ｔ
【０１３４】
図１３は、印刷用紙サイズとその許容ボケと許容ブレの計算例をそれぞれ示す図である。印刷用紙の種別又は印刷用紙のサイズ（寸法）を選択すると、プリンタ装置の印刷解像度（ｄｐｉ）や画像モニター装置の表示解像度などに応じて、必要な解像度が得られる画像サイズ（横×縦の画素数）を計算して決定できる。逆に、画像サイズを選択すると、例えば２００ｄｐｉや３００ｄｐｉ等、印刷装置の印刷解像度（ｄｐｉ）に応じて、十分な解像度となる印刷用紙サイズの限度などを計算して決定できる。
【０１３５】
例えば、印刷用紙サイズから十分な画像サイズを算出するには、
（ａ）フチ無し印刷の場合には、
横（又は縦の）画像サイズ＝横（または縦の）用紙寸法（ｍｍ）×印刷解像度（ｄｐｉ）÷２５．４（ｍｍ／ｉｎｃｈ）、あるいは、
（ｂ）上下左右にフチ（余白）付き印刷の場合には、
横（又は縦の）画像サイズ＝｛横（または縦の）用紙寸法（ｍｍ）−２×余白寸法（ｍｍ｝×印刷解像度（ｄｐｉ）÷２５．４（ｍｍ／ｉｎｃｈ）、などで求めることができる。逆も同様である。
【０１３６】
また、許容できる像ブレ量などは、例えば、許容ボケ（許容錯乱円径）の大きさを基準に算出することができる。３５ｍｍ判の銀塩フィルムでは、許容ボケは約０．０３３ｍｍなどが利用されるが、デジタルカメラのＣＣＤなど撮像素子の場合や、プリントサイズを変えた場合の許容ボケには、いくつかの考え方がある。一般に、肉眼で細かなものを見分けられる能力は角度にして１分（１′）程度とされるが、写真など連続して調子が変化している対象では、少し緩めの角度２〜３分（２′〜３′）程度とされ、これより小さいものはボケていることが分からず、シャープに見えると言われる。
１）これを基準に考えると、肉眼の明視距離２５ｃｍ離れた距離から写真や印画紙を観察するとき、０．１５〜０．２２ｍｍ（２５０ｍｍ×ｔａｎ（２′）〜２５０ｍｍ）×ｔａｎ（３′）程度のボケまでは人間の眼にはボケていると気付かないこととなる。
２）一方、写真はその大きさに応じて、例えば、用紙の対角寸法に相当する距離から眺めるのが自然だという考え方もある。これを基準に、対角が２７ｃｍと明視距離に近い八つ切り判の印画紙では、約０．２ｍｍのボケまでは許され、３５ｍｍ判から八つ切り判への引き伸ばし倍率は６倍であるからとして、００２÷６＝０．０３３ｍｍが、一般的な３５ｍｍ判（３６×２４ｍｍ）フィルムの許容ボケ（許容錯乱円径、Permissible Circle of Confusion）として採用されている。
【０１３７】
この２）の方法では、逆に、用紙サイズや引き伸ばし倍率に拘わらす、フィルムや撮像素子のサイズに相応して、所定の角度（２′〜３′）以内の許容錯乱円径であればよく、換算には便利であるが、印刷用紙や引き伸ばし倍率が大きい場合ほど、荒いピントやボケ、ブレでも許されることとなる。
【０１３８】
また、
１）印刷用紙によらず用紙サイズ（対角）に相当する距離だけ離れて観察するときの許容ボケが所定値（例えば、３５ｍｍに相当する角度＝０°０２′４０″）以下となるように設定する場合には、
画像面上の許容錯乱円径δ［ｍｍ］
＝｛画像サイズ対角（Ｙ）／印刷用紙サイズ対角（Ｓ）｝×印刷用紙サイズ対角Ｓ［ｍｍ］×ｔａｎ（２′４０″）、
＝画像サイズ対角（Ｙ）［ｍｍ］×ｔａｎ（２′４０″）として算出して、許容ブレを設定できる。
２）また、どの用紙サイズの場合も、一定の明視距離（約２５ｃｍ）から観察する場合には、撮像面上の許容錯乱円径δ［ｍｍ］
＝｛画像サイズ対角（Ｙ）／印刷用紙サイズ対角（Ｓ）｝×明視距離（２５０ｍｍ）×ｔａｎ（２′４０″）、
として算出して、これを基準に許容ブレを設定できる。
３）あるいは、許容錯乱円径δ［ｍｍ］をユーザーが所望かつ任意の値に設定してもよい。
【０１３９】
また、許容できる像ブレ量δＢは前記の許容錯乱円径δに略等しいとすると、許容できる移動速度ＶＢ、許容ブレ量（又は被写体の見かけ上の移動角度）θＳ、及び、露出時間Ｔにおける許容ブレ角速度（又は被写体の見かけ上の移動角速度）ωＳは、前記で算出された撮像面上の許容ボケ（許容錯乱円径）δ［ｍｍ］と、撮影レンズ焦点距離ｆ［ｍｍ］、設定露出時間Ｔ［秒］とから、
許容ブレ量（像の変位量）δＢ≒δ、
許容像移動速度ＶＢ＝δＢ／Ｔ≒δ／Ｔ、
許容ブレ量（又は被写体の見かけ上の移動角度）θＳ＝２×ｔａｎ−１（δＢ／２ｆ）、
許容ブレ角速度（又は被写体の見かけ上の移動角速度）ωＳ＝θＳ／Ｔ、
などと算出して設定することができる。
【０１４０】
あるいは、マクロ撮影などで、被写体距離Ｌが分かる場合には、被写体範囲Ｘ＝画像サイズＹ×Ｌ／ｆとなるので、
被写体ブレまたはカメラブレの許容変位ＸＢ＝許容像ブレ量δＢ×Ｌ／ｆ、
許容できる被写体の移動速度ＶＢ＝ＸＢ／Ｔ≒δＢ×Ｌ／（ｆ×Ｔ）、
等として算出できる。
【０１４１】
これらを、本実施の形態における印刷用紙に応じた所定のブレ量若しくは像ブレ量として設定して、画素加算読み出しによるブレ軽減撮影・増感撮影モードへの切替条件の判断を行えばよい。
【０１４２】
しかして、本実施の形態では、ユーザー所望の印刷用紙サイズまたは画像サイズに応じて、許容像ブレ量や許容ブレ量などを設定して、それに応じて、画素加算読み出しによるブレ軽減撮影モードへの切替条件を設定するので、観賞時のサイズに合わせてブレの目立たない必要十分なブレ軽減撮影が行えるので、補間処理などによる画質劣化なども最小限に抑えることができる。
【０１４３】
（第５の実施の形態）
【０１４４】
図１４は、本発明の第５の実施の形態における処理手順を示すフローチャートである。先ず、ユーザーによる操作部２３での操作により、ブレ軽減撮影モード又は増感撮影モードが設定されているか否かを判断する（ステップＳ５０１）。ブレ軽減撮影モード又は増感撮影モードが設定されていない場合には、その他の撮影モード処理に移行する（ステップＳ５０２）。また、ユーザーによる操作部２３での操作に応じて、画像サイズ（ｘ，ｙ）、又は、所望の印刷用紙サイズを選択し（ステップＳ５０３）、選択画像サイズ、又は、用紙サイズに最適な画像サイズに設定する（ステップＳ５０４）。さらに、シャッター速度等の撮影条件を設定するとともに、撮影条件に応じて画素加算数（Ｍ×Ｎ）を選択する（ステップＳ５０５）。
【０１４５】
また、下記式を用いて読み出し画像サイズ（横）Ｘ′及び読み出し画像サイズ（縦）Ｙ′を算出する（ステップＳ５０６）。
読み出し画像サイズ（横）Ｘ′＝撮影画像サイズ（横）Ｘ÷横加算数Ｍ、
読み出し画像サイズ（縦）Ｙ′＝撮影画像サイズ（縦）Ｙ÷縦加算数Ｎ
【０１４６】
次に、読み出し画像サイズ（Ｘ′，Ｙ′）が設定画像サイズ（ｘ，ｙ）以上であるか否かを判断し（ステップＳ５０７）、読み出し画像サイズ（Ｘ′，Ｙ′）≧設定画像サイズ（ｘ，ｙ）である場合には、撮像素子２０の垂直方向及び水平方向の同色同士の画素の撮像信号電荷を加算して読み出す垂直＆水平加算読み出しモードを設定して、撮像素子２０を駆動するとともに、画素加算数（Ｍ，Ｎ）を設定する（ステップＳ５０８）。また、加算数（Ｍ×Ｎ）に応じて、露出時間を再設定する（ステップＳ５０９）。そして、再設定された露出時間や設定撮影条件に応じて露出／撮影動作を行うとともに、画素加算読み出し処理を実行する（ステップＳ５１０）。
【０１４７】
一方、ステップＳ５０７での判断がＮＯであって、読み出し画像サイズ（Ｘ′，Ｙ′）＜設定画像サイズ（ｘ，ｙ）である場合には、警告表示を行って画像サイズが不足又は補間処理が必要の旨を表示するとともに（ステップＳ５１１）、補間処理を行うか否か（Ｙｅｓ／Ｎｏ）の入力要求プロンプトを表示し、入力待ちの状態にする（ステップＳ５１２）。このステップＳ５１１及びＳ５１２での処理により、図１５（Ａ）（Ｂ）に例示するような画面が表示部１４に表示される。
【０１４８】
この状態で、「Ｙｅｓ」の補間処理ＯＫの入力があったか否かを判断する（ステップＳ５１３）。あった場合には、撮像素子２０の垂直方向及び水平方向の同色同士の画素の撮像信号電荷を加算して読み出す垂直＆水平加算読み出しモードを設定して、撮像素子２０を駆動するとともに、画素加算数（Ｍ，Ｎ）を設定する（ステップＳ５１４）。また、加算数（Ｍ×Ｎ）に応じて、露出時間を再設定する（ステップＳ５１５）。そして、再設定された露出時間や設定撮影条件に応じて露出／撮影動作を行うとともに、画素加算読み出し処理を実行し（ステップＳ５１６）、しかる後に、画素補間処理を実行する（ステップＳ５１７）。
【０１４９】
他方、ステップＳ５１３の判断がＮＯであって、補間処理ＯＫの入力がなかった場合には、画素加算数を低減（Ｍ←Ｍ−１，Ｎ←Ｎ−１）、又は、画像サイズ（ｘ，ｙ）を１段小さいサイズに設定する（ステップＳ５１８）。また、このサイズダウンにより、Ｍ≦１，Ｎ≦１、又は最小画像サイズになってしまったか否かを判断する（ステップＳ５１９）。Ｍ≦１，Ｎ≦１、又は最小画像サイズになっていない場合には、Ｘ′＝Ｘ÷Ｍ、Ｙ′＝Ｙ÷Ｎにより読み出し画像サイズ（Ｘ′，Ｙ′）を演算し（ステップＳ５２０）、この演算結果による読み出し画像サイズ（Ｘ′，Ｙ′）が設定画像サイズ（ｘ，ｙ）以上であるか否かを判断する（ステップＳ５２１）。そして、読み出し画像サイズ（Ｘ′，Ｙ′）≧設定画像サイズ（ｘ，ｙ）である場合には、前述したステップＳ５０８に進む。
【０１５０】
しかし、読み出し画像サイズ（Ｘ′，Ｙ′）＜設定画像サイズ（ｘ，ｙ）である場合には、ステップＳ５１８からの処理を繰り返す。そのか結果、Ｍ≦１，Ｎ≦１、又は最小画像サイズになってしまった場合には（ステップＳ５１９；ＹＥＳ）、撮像素子２０の全画素の撮像信号電荷を順に読み出す通常読み出しモード（加算無し）に設定し（ステップＳ５２２）、通常露出時間に設定して（ステップＳ５２３）、設定された露出時間や設定撮影条件に応じて露出／撮影動作を行うとともに、通常読み出し処理を実行する（ステップＳ５２４」）。そして、このステップＳ５２４、ステップＳ５１０又はステップＳ５１７のいずれかに続くステップＳ５２５では、撮影画像を圧縮、符号化し、この圧縮、符号化した撮影画像を外部メモリ媒体３９に記録する（ステップＳ５２６）。
【０１５１】
したがって、本実施の形態によれば、画素加算読み出しに切り替えてブレ軽減／増感撮影を行う場合に、
１）加算読み出しにより記録画像サイズが設定された画像サイズより小さいサイズに縮小される場合には、予め記録画像サイズが設定画像サイズよりも小さくなってしまう旨の警告をし、画素読み出し撮影を行うか否かをユーザーに問い合わせるプロンプト（入力要求）表示を行い、ＯＫ（肯定返答）の入力があった場合には加算読み出しモードで撮影し、ＮＯ（否定返答）の入力があった場合には、通常読み出しモードで撮影することができる。
２）又は、画素加算読み出しモードで撮影を行う場合、ユーザー設定の画像サイズを得るために補間処理が必要になる場合には、予め、画素補間処理を行う必要がある旨を警告し、画素補間処理を実行するか否かをユーザーに問い合わせるプロンプト表示を行い、ＯＫの返答入力があった場合には、加算読み出しモードで撮影した画像データに画素補間処理を施して設定画像サイズに拡大変換してから記録することができる。ＮＯの返答入力があった場合には、画素補間処理が不要になるまで加算数を低減して撮影するように制御し、又は、画素補間が不要になるまで記録サイズを小さく設定し直して撮影するように制御して、画素補間処理を行わないでも所望の増感撮影ができる。
【０１５２】
よって、画像サイズの縮小や、画素補間処理による画質劣化のリスクを確認した上で撮影することができ、ユーザーは、増感撮影するが画素補間による画質劣化を嫌う場合には、補間処理を回避して撮影することもできる。
【０１５３】
（第６の実施の形態）
【０１５４】
図１６は、本発明の第６の実施の形態における処理手順を示すフローチャートである。この実施の形態は、画素加算読み出しに切り替えてブレ軽減／増感撮影を行う場合に、撮像画像サイズと設定画像サイズの比に応じて、画素加算数の限度を算出する。また、補間処理ＯＫの場合には、その加算数の限度が大きくなるように設定し、加算数が限度を超える場合には加算数を低減して、画素加算数が限度内の範囲で画素加算読み出しによる撮影を行えるようにしたものである。
【０１５５】
先ず、ユーザーによる操作部２３での操作により、ブレ軽減撮影モード又は増感撮影モードが設定されているか否かを判断する（ステップＳ６０１）。ブレ軽減撮影モード又は増感撮影モードが設定されていない場合には、その他の撮影モード処理に移行する（ステップＳ６０２）。また、ブレ軽減撮影モード又は増感撮影モードが設定されている場合には、ユーザーによる操作部２３での操作に応じて、画像サイズ（ｘ，ｙ）、又は、所望の印刷用紙サイズを選択し（ステップＳ６０３）、これら選択画像サイズ、又は、用紙サイズに最適な画像サイズに設定する（ステップＳ６０４）。
【０１５６】
次に、下記式を用いて加算限度（横）Ｍｍａｘと加算限度（縦）Ｎｍａｘとを算出する（ステップＳ６０５）。
加算限度（横）Ｍｍａｘ＝撮像画像サイズ横（Ｘ）÷設定画像サイズ横（ｘ）
加算限度（縦）Ｎｍａｘ＝撮像画像サイズ縦（Ｙ）÷設定画像サイズ縦（ｙ）
【０１５７】
また、ユーザーによる操作部２３での操作により、予め画素補間処理はＯＮ（使用可）に設定されているか否かを判断し（ステップＳ６０６）、ＯＮ（使用可）となっていない場合には、ステップＳ６０７の処理を行うことなくステップＳ６０８に進む。また、ＯＮ（使用可）となっている場合には、加算限度（横）Ｍｍａｘと加算限度（縦）Ｎｍａｘとを、各々これらよりも大きい「α＊Ｍｍａｘ」と「α＊Ｎｍａｘ」に変更する（ステップＳ６０７）。
【０１５８】
引き続き、ズーム処理、ＡＦ処理を実行し（ステップＳ６０８）、被写体像のスルー画像を表示部１４に表示させる（ステップＳ６０９）。次いで、レリーズ釦が押されて撮影指示がなされたか否かを判断し（ステップＳ６１０）、押されない場合には、ユーザーにより操作部２３で操作されたキーに応じたその他のキー処理を実行する（ステップＳ６１１）。そして、レリーズ釦が押されて撮影指示があると、測光処理、ＷＢ処理を行って（ステップＳ６１２）、これにより得られた測光値に応じて、露光時間Ｔなどの露出条件を設定する（ステップＳ６１３）。さらに、測光値や露出条件、設定感度などの撮影条件に応じて加算数（Ｍ，Ｎ：整数）を選択する（ステップＳ６１４）。
【０１５９】
次に、この選択した加算数Ｍ、Ｎと前記ステップＳ６０７で設定した加算限度Ｍｍａｘ，Ｎｍａｘとを比較し、加算数Ｍ≦Ｍｍａｘ、かつ、加算数Ｎ≦Ｎｍａｘであるか否かを判断する（ステップＳ６１５）。この判断がＮＯであって、選択された加算数が加算限度を超えている場合には、ステップＳ６１５からステップＳ６１８に進み、加算数を１低減する（ステップＳ６１８）。また、この画素加算数を低減した結果、Ｍ、Ｎの値が１以下となってしまったか否かを判断し（ステップＳ６１９）、１以下となってしまった場合には、撮像素子２０の全画素の撮像信号電荷を順に読み出す通常読み出しモード、つまり「Ｍ＝Ｎ＝１」である画素加算無しで撮像素子２０を駆動し（ステップＳ６２０）、後述するステップＳ６２１に進む。しかし、ステップＳ６１９の判断がＮＯであって、Ｍ、Ｎの値（整数）が１を超える値である場合には、ステップＳ６１５に戻る。
【０１６０】
そして、加算数Ｍ≦Ｍｍａｘ、かつ、加算数Ｎ≦Ｎｍａｘとなって、このステップＳ６１５の判断がＹＥＳとなり、選択された加算数が加算限度以下である場合には、「Ｔ／（Ｍ＊Ｎ）」により加算数Ｍ、Ｎに応じて、露出時間を再設定する（ステップＳ６１６）。そして、撮像素子２０の垂直方向及び水平方向の同色同士の画素の撮像信号電荷を加算して読み出す垂直＆水平加算読み出しモードに切り替えて、撮像素子２０を駆動する（ステップＳ６１７）。これと同時に、定撮影条件に応じて露出／撮影動作を開始し（ステップＳ６２１）、このステップＳ６２１での処理により、シャッター５８が開いて撮像素子２０が露出状態となる。引き続き、シャッター速度に応じた露出時間が終了したか否かを判断し（ステップＳ６２２）、露出時間が終了となるまで、露出／撮影動作（ステップＳ６２１）を継続する。
【０１６１】
そして、ステップＳ６２２の判断がＹＥＳとなり、露出時間が終了となった時点で露出／撮影動作を停止させてシャッター５８を閉じる（ステップＳ６２３）。しかる後に、前記ステップＳ６２０又はステップＳ６１７での駆動により読み出された読み出し画像サイズ、つまり読み出し画像サイズ（Ｘ÷Ｍ、Ｙ÷Ｎ）が前記設定画像サイズ（ｘ，ｙ）以下であるか否かを判断する（ステップＳ６２５）。この判断がＮＯであって、読み出し画像サイズ（Ｘ÷Ｍ、Ｙ÷Ｎ）が設定画像サイズ（ｘ，ｙ）を超える場合には、画素補間する必要はないことから、ステップＳ６２５の処理を行うことなく、ステップＳ６２６に進む。
【０１６２】
しかし、ステップＳ６２４の判断がＹＥＳであって、読み出し画像サイズ（Ｘ÷Ｍ、Ｙ÷Ｎ）が設定画像サイズ（ｘ，ｙ）以下である場合には、ユーザーが設定した設定画像サイズの画像を生成すべく、画素補間処理を実行する（ステップＳ６２５）。しかる後に、撮影画像を圧縮、符号化し（ステップＳ６２６）、この圧縮、符号化した撮影画像を外部メモリ媒体３９に記録する（ステップＳ６２７）。
【０１６３】
したがって、本実施の形態によれば、設定画像サイズが確実に確保できるように、かつ、画像劣化を伴う画素補間処理をできるだけ行わずに、ブレ軽減撮影や増感撮影を行うことができる。
【０１６４】
（第７の実施の形態）
【０１６５】
図１７は、本発明の第７実施の形態における処理手順を示すフローチャートである。この実施の形態は、設定された露出時間（シャッター速度）が所定値よりも長い（遅い）場合には、設定された（ＩＳＯ相当感度）撮像感度が、所定の感度より低く設定されている時には、先ず撮像感度を順次上げて、露出時間が所定値以下に短く（シャッター速度が速く）なるように再設定するようにしたものである。また、（ノイズが目立たない撮像感度の限度など）所定の感度まで上げても、露出時間が所定値よりも長くなる場合には、「画素加算読み出しによる撮影モード」に切り替えるとともに、加算倍率に応じて露出時間が短くなるように再設定するようにしたものである。
【０１６６】
先ず、ユーザーによる操作部２３での操作により、オート撮影モード又はブレ軽減撮影モードが設定されているか否かを判断する（ステップＳ７０１）。オート撮影モード又はブレ軽減撮影モードが設定されていない場合には、その他の撮影モード処理に移行する（ステップＳ７０２）。また、オート撮影モード又はブレ軽減撮影モードが設定されている場合には、撮影条件を設定するとともに、ユーザーによる操作部２３での操作に応じて、画像サイズを選択する（ステップＳ７０３）。
【０１６７】
次に、ズーム処理、ＡＦ処理を実行し（ステップＳ７０４）、被写体像のスルー画像を表示部１４に表示させる（ステップＳ７０５）。次いで、レリーズ釦が押されて撮影指示がなされたか否かを判断し（ステップＳ７０６）、押されない場合には、ユーザーにより操作部２３で操作されたキーに応じたその他のキー処理を実行する（ステップＳ７０７）。そして、レリーズ釦が押されて撮影指示があると、測光処理、ＷＢ処理を行って（ステップＳ７０８）、これにより得られた測光値と前記ステップＳ７０３で設定された撮影条件とに応じて、露出条件を設定する（ステップＳ７０９）。また、このステップＳ７０９での処理により設定された設定露出時間が所定時間以下であるか否かを判断する（ステップＳ７１０）。この判断の結果、設定露出時間≦所定時間である場合には、当該設定露出時間ではブレが生ずる可能性が少なくブレ軽減撮影を行う必要がないと判断する。したがって、撮像素子２０の全画素の撮像信号電荷を順に読み出す通常読み出しモードで撮像素子２０を駆動して（ステップＳ７１４）、露出／撮影処理を行う（ステップＳ７１５）。
【０１６８】
しかし、ステップＳ７１０での判断の結果、設定露出時間が所定時間を超える場合には、ブレが生ずる可能性が多いものと判断する。したがって、先ず撮影感度値Ｓｖを一段上げ、シャッター速度Ｔｖを一段下げる（一段速くする）（ステップＳ７１１）。そして、このステップＳ７１１での処理により一段上げた撮影感度が所定感度以下であるか否かを判断する（ステップＳ７１２）。つまり、感度を上げると、露出時間（シャッター速度）は短くできるが、これに伴ってノイズが発生することから、ノイズの目立たない所定感度以下であるか否かを判断するのである。
【０１６９】
そして、ノイズの目立たない所定感度以下である場合には、前記一段上げた（速くした）設定露出時間がブレが生ずる可能性が少ない所定時間以下であるか否かを判断する（ステップＳ７１３）。このステップＳ７１２とＳ７１３の判断がともにＹＥＳとなって、撮影感度≦所定感度、かつ、設定露出時間≦所定時間となった場合には、つまりノイズの目立たない所定感度以下であって、かつ、ブレが生ずる可能性が少ない露出時間である場合には、前述したステップＳ７１４に進む。したがって、この場合には、撮像素子２０の全画素の撮像信号電荷を順に読み出す通常読み出しモードで撮像素子２０を駆動されることとなり、このように通常読み出しモードで撮影を行っても、ノイズの目立たない、かつ、ブレのない画像を撮影することができる。
【０１７０】
また、ステップＳ７１３の判断がＮＯであって、設定露出時間が所定時間を超える場合には、未だブレが発生する可能性が高いことから、ステップＳ７１１に戻って、再度撮影感度値Ｓｖを一段上げ、シャッター速度Ｔｖを一段下げる（テップＳ７１１）。そして、その結果、一段上げた撮影感度が所定感度を超えてしまうと、露出時間が短くなることによりブレの発生は防止できても、撮影感度が所定感度を超えたことよりノイズの発生が顕著となる。したがって、通常読み出しモードで撮影を行っても、ブレはないがノイズのある画像となることが明らかとなる。したがって、この場合には、ステップＳ７１２がＮＯとなることにより、ステップＳ７１２からステップＳ７１６に進む。
【０１７１】
そして、前記ステップＳ７１１での処理より上げられた撮影感度値Ｓｖ、及びシャッター速度値ＴｖをステップＳ７１１での処理以前の状態に戻す（ステップＳ７１６）。したがって、ステップＳ７１１の処理が１回行われて、撮影感度値Ｓｖ、及びシャッター速度値Ｔｖが一段上げられている場合には、これらを一段下げる。次に、撮像素子２０の垂直方向及び水平方向の同色同士の画素の撮像信号電荷を加算して読み出す垂直＆水平加算読み出しモードを設定し、このとき増感度（加算数）を１〜２段上げ、シャッター速度Ｔｖも１〜２段上げる（ステップＳ７１７）。そして、この上げた加算数が所定の加算数以下である否かを判断する（ステップＳ７１８）。
【０１７２】
つまり、加算数が多くなればなるほど画像サイズは小さくなる。よって、画像サイズが極端に小さくならないように、加算数が加算数以下である否かを判断する。そして、加算数≦所定の加算数であれば、加算数に余裕があり、更に加算数を増加しても画像サイズが極端に小さくなることはない。よって、さらに前記ステップＳ７１７で上げた（速くした）シャッター速度Ｔｖが示す設定露出時間が、所定時間以下であるか否かを判断し（ステップＳ７１９）、所定時間を超える場合にはブレの発生する可能性があることからステップＳ７１７に戻る。
【０１７３】
そして、ステップＳ７１８とステップＳ７１９の判断がともにＹＥＳである場合、つまり、加算数≦所定の加算数、かつ、設定露出時間≦所定時間である場合には、ステップＳ７２１に進む。一方、ステップＳ７１８の判断がＮＯであった場合、つまり設定露出時間を所定時間以下にすべく、加算数を増加した結果、加算数が多くが画像サイズが極端に小さくなってしまう場合には、ステップＳ７２０に進む。そして、前記ステップＳ７１６での処理とは逆に、増感度（加算数）を１〜２段下げ、シャッター速度Ｔｖも１〜２段下げ、増感度（加算数）、シャッター速度値Ｔｖを戻して（ステップＳ７２０）、ステップＳ７２１に進む。
【０１７４】
前記ステップＳ７１９及び前記ステップＳ７２０のいずれかに続くこのステップＳ７１においては、撮像素子２０の垂直方向及び水平方向の同色同士の画素の撮像信号電荷を加算して読み出す垂直＆水平加算読み出しモードに切り替えて（ステップＳ７１）、撮像素子２０を駆動し、露出／撮影処理を行う（ステップＳ７２２）。
【０１７５】
したがって、本実施の形態によれば、撮影感度と画素加算とを組み合わせて露出時間を短くしてブレ軽減撮影し、感度アップによるノイズ発生を抑えるとともに、画素加算により画像サイズが小さくなることも、できる限り軽減することができる。
【０１７６】
なお、ステップＳ７１２においては、撮影感度を一定の所定感度と比較するようにしたが、この所定感度をユーザーが任意に設定できるようにしてもよい。
【０１７７】
（その他の実施の形態）
【０１７８】
図１８は、本発明のその他の実施の形態に係るデジタルカメラ２の概略的回路構成を示すブロック図である。このデジタルカメラ２は、露出設定手段２０１、感度設定手段２０２、画素加算読み出し切替制御手段２０３、及び補間倍率設定手段２０４を有している。露出設定手段２０１には、測光センサ２０５からの出力と撮影条件の設定手段２０６からの出力とが与えられ、感度設定手段２０２には、撮影条件の設定手段２０６からの出力が与えられる。画素加算読み出し切替制御手段２０３には、露出設定手段２０１、感度設定手段２０２、撮影モードの選択手段２０７、及び画像サイズ／用紙サイズの選択手段２０８からの出力が各々与えられ、補間倍率設定手段２０４には、画素加算読み出し切替制御手段２０３及び画像サイズ／用紙サイズの選択手段２０８からの出力が各々与えられる。
【０１７９】
一方、撮影光学系２０９の光軸上には、絞り２１０、シャッター２１１及び撮像素子２１２が配置されている。絞り２１０は絞り駆動部２１３により、シャッター２１１はシャッター駆動部２１４により、撮像素子２０７はＣＣＤ駆動＆タイミング制御部２１５により、それぞれ駆動される。そして、前記絞り駆動部２１３とシャッター駆動部２１４とは、露出設定手段２０１からの信号に基づき動作する。
【０１８０】
信号処理回路２１６は、前記ＣＣＤ駆動＆タイミング制御部２１５を有する一方、撮像素子２１２からのアナログ信号を処理するとともにデジタル信号に変換する処理等を行う回路であり、ＣＤＳ２１７、Ａｍｐ２１８、ＡＤＣ２１９、ＷＢ制御部２２０、画素加算処理部２２１、画素補間処理部２２２、カラー補間部２２３、γ補正部２２４、カラーマトリックス２２５、及び前記画素加算処理部２２１を経由する系とこれを迂回する系とを切り替える切替器２２６を有している。そして、Ａｍｐ２１８は前記感度設定手段２０２に制御され、画素補間処理部２２２と切替器２２６とは、前記画素加算読み出し切替制御手段２０３により制御され、画素補間処理部２２２は前記補間倍率設定手段２０４により設定される補間倍率に従って画素補間する。また、この信号処理回路２１６からのデジタル画像データは、画像バッファメモリ２２７を介して、画像圧縮／符号化手段２２８に与えられ圧縮及び符号化された後、画像記録手段に記録されるように構成されている。
【０１８１】
したがって、この実施の形態においては、前述した実施の形態のような画像素子２１２からの電荷読出し時の画素加算処理の代わりに、撮影後の画像データに対して、画像処理により画素加算合成を行うことができる。すなわち、図１８に示すように、カラー補間処理等を行う前の（カラーフィルタの）ベアラー配列のままの撮像原画像データの段階で、近隣の同一色（Ｒ、Ｇ、Ｂなど）フィルタに相当する４画素ないし９画素など、複数の同色の画素同士を加算合成する。これにより、露出時間が短い画像データでも、（ｍ×ｎ）画素の加算合成により、画像サイズは１／（ｍ×ｎ）と小さくなるが、輝度データを（ｍ×ｎ）倍に増感できる。よって、原理的には感度を略（ｍ×ｎ）倍に上げることに相当する効果があり、逆に露出時間に関してはこれを短くできる。また、この場合に、露出時間の不足量に応じて、画素加算する画素数（ｍ×ｎ）を順次増やして画素加算処理するように制御してもよい。
【符号の説明】
【０１８２】
１  デジタルカメラ
２  本体
３  レリーズ釦
８  モード切替スイッチ
１４  表示部
１６  第１加速度センサ
１７  第２角速度センサ
１９  レンズ群
２０  撮像素子
２３  操作部
２４  入力回路
２５  制御部
２６  表示メモリ
２７  表示駆動ブロック
２８  画像バッファメモリ
２９  画像信号処理部
３０  圧縮符号化／伸長復号化部
３１  静止画／動画画像メモリ
３２  プログラムメモリ
３３  データメモリ
３８  撮影制御部
３９  外部メモリ媒体
５５  ズームレンズユニット
５６  駆動機構
５７  絞り
５８  シャッター
６１  フォーカスレンズ駆動部
６２  ズームレンズ駆動部
６４  シャッター駆動部
６５  映像信号処理部
６６  ドライバ
【図１】
2010263654.tif 000003
【図２】
2010263654.tif 000004
【図３】
2010263654.tif 000005
【図４】
2010263654.tif 000006
【図５】
2010263654.tif 000007
【図６】
2010263654.tif 000008
【図７】
2010263654.tif 000009
【図８】
2010263654.tif 000010
【図９】
2010263654.tif 000011
【図１０】
2010263654.tif 000012
【図１１】
2010263654.tif 000013
【図１２】
2010263654.tif 000014
【図１３】
2010263654.tif 000015
【図１４】
2010263654.tif 000016
【図１５】
2010263654.tif 000017
【図１６】
2010263654.tif 000018
【図１７】
2010263654.tif 000019
【図１８】
2010263654.tif 000020
【図１９】
2010263654.tif 000021
【手続補正書】
【提出日】平成22年8月12日(2010.8.12)
【手続補正１】
【補正対象書類名】明細書
【補正対象項目名】０００８
【補正方法】削除
【補正の内容】
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】変更
【補正の内容】
【００３１】
前記課題を解決するために請求項１記載の発明に係る電子カメラにあっては、複数の画素を有し、露出することにより被写体を撮像して画像信号を生成する撮像手段と、この撮像手段により生成された画像信号を記録する記録手段と、この記録手段に記録される前記画像信号の画像サイズを指定する指定手段と、この指定手段により指定された前記画像サイズに基づき、前記撮像手段に、前記画像信号における近隣の画素成分を加算する加算処理を実行させる際の、画素加算数を制御する制御手段とを備える。
【手続補正２５】
【補正対象書類名】明細書
【補正対象項目名】００３３
【補正方法】変更
【補正の内容】
【００３３】
また、請求項２記載の発明に係る電子カメラにあっては、前記制御手段は、前記指定手段により指定された画像サイズに基づき前記画素加算数の限度を算出する算出手段を含み、この算出手段により算出された前記画素加算数の限度に基づき、前記撮像手段の加算処理を制御する。したがって、画素加算処理における加算数の限度に基づき、画素加算が行われることにより、記録画像サイズが指定画像サイズよりも小さくなったり、あるいは記録画像サイズが極端に小さくなることを未然に防止することができる。
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】変更
【補正の内容】
【００３５】
また、請求項３記載の発明に係る電子カメラにあっては、前記撮像手段により前記加算処理が実行された場合における画像サイズが前記指定手段により指定された画像サイズよりも小さい場合において、前記画像信号の画素を補間する画素補間処理を行って画像サイズを補正する画像サイズ補正手段と、この画像サイズ補正手段の動作と非動作とを選択的に設定する設定手段とを更に備え、この設定手段により前記画像サイズ補正手段の動作が設定されている場合、前記算出手段は、前記画素加算数の限度を非動作の場合よりも大きい値に補正する手段を含む。
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】００４４
【補正方法】削除
【補正の内容】
【手続補正３６】
【補正対象書類名】明細書
【補正対象項目名】００４５
【補正方法】削除
【補正の内容】
【手続補正３７】
【補正対象書類名】明細書
【補正対象項目名】００４６
【補正方法】変更
【補正の内容】
【００４６】
以上説明したように請求項１に係る発明によれば、画素加算を行うと、これにより画像サイズは小さくなるが、記録画像サイズが指定画像サイズよりも小さくなることを回避することができる。よって、画素加算処理による増感処理により撮像手段の露光時間を短くしてブレ軽減撮影が可能にしつつ、記録画像サイズが指定画像サイズよりも小さくなってしまう不都合を未然に防止し、指定画像サイズの画像を記録することができる。
【手続補正３８】
【補正対象書類名】明細書
【補正対象項目名】００４７
【補正方法】削除
【補正の内容】
【手続補正３９】
【補正対象書類名】特許請求の範囲
【補正対象項目名】全文
【補正方法】変更
【補正の内容】
【特許請求の範囲】
【請求項１】
複数の画素を有し、露出することにより被写体を撮像して画像信号を生成する撮像手段と、
この撮像手段により生成された画像信号を記録する記録手段と、
この記録手段に記録される前記画像信号の画像サイズを指定する指定手段と、
この指定手段により指定された前記画像サイズに基づき、前記撮像手段に、前記画像信号における近隣の画素成分を加算する加算処理を実行させる際の、画素加算数を制御する制御手段と
を備えることを特徴とする電子カメラ。
【請求項２】
前記制御手段は、前記指定手段により指定された画像サイズに基づき前記画素加算数の限度を算出する算出手段を含み、
この算出手段により算出された前記画素加算数の限度に基づき、前記撮像手段の加算処理を制御することを特徴とする請求項１記載の電子カメラ。
【請求項３】
前記撮像手段により前記加算処理が実行された場合における画像サイズが前記指定手段により指定された画像サイズよりも小さい場合において、前記画像信号の画素を補間する画素補間処理を行って画像サイズを補正する画像サイズ補正手段と、
この画像サイズ補正手段の動作と非動作とを選択的に設定する設定手段とを更に備え、
この設定手段により前記画像サイズ補正手段の動作が設定されている場合、前記算出手段は、前記画素加算数の限度を非動作の場合よりも大きい値に補正する手段を含むことを特徴とする請求項１または２記載の電子カメラ。